(57)【要約】  本願の実施形態は、伝送方法及びその装置を開示する。方法は、端末デバイスにより、１又は複数の候補伝送周波数領域リソースに対してアイドル状態感知を実行する段階であって、候補伝送周波数領域リソースは、ＰＵＣＣＨ情報伝送のために用いられる、段階と、端末デバイスにより、候補伝送周波数領域リソースの感知結果に基づいて、ＰＵＣＣＨ情報伝送のために用いられる伝送周波数領域リソースを決定する段階と、端末デバイスにより、決定された伝送周波数領域リソースを用いることによりＰＵＣＣＨ情報を伝送する段階とを含む。本願の実施形態を用いることにより、アップリンク伝送は、アンライセンス周波数スペクトルを用いることにより実施されることができ、伝送効率が改善され得る。
2020526996.tif 000002
【特許請求の範囲】
【請求項１】
伝送方法であって、
端末デバイスにより、１又は複数の候補伝送周波数領域リソースに対してアイドル状態感知を実行する段階であって、前記候補伝送周波数領域リソースは、物理アップリンク制御チャネル上でのＰＵＣＣＨ情報伝送のために用いられる、段階と、
前記端末デバイスにより、前記候補伝送周波数領域リソースの感知結果に基づいて、ＰＵＣＣＨ情報伝送のために用いられる伝送周波数領域リソースを決定する段階と、
前記端末デバイスにより、前記決定された伝送周波数領域リソースを用いることにより、前記ＰＵＣＣＨ情報を伝送する段階と
を備える方法。
【請求項２】
前記方法は、
前記端末デバイスにより、前記１又は複数の候補伝送周波数領域リソースを決定する段階をさらに備える、請求項１に記載の方法。
【請求項３】
前記端末デバイスにより、前記１又は複数の候補伝送周波数領域リソースを決定する段階は、
前記端末デバイスにより、ＰＵＣＣＨリソース構成情報に基づいて、前記１又は複数の候補伝送周波数領域リソースを決定する段階であって、前記ＰＵＣＣＨリソース構成情報は、前記１又は複数の候補伝送周波数領域リソースを示すために用いられる、段階を有する、請求項２に記載の方法。
【請求項４】
前記端末デバイスにより、前記１又は複数の候補伝送周波数領域リソースを決定する段階は、
前記端末デバイスにより、ダウンリンク伝送リソースに基づいて、前記１又は複数の候補伝送周波数領域リソースを決定する段階を有する、請求項２に記載の方法。
【請求項５】
前記端末デバイスにより、前記候補伝送周波数領域リソースの感知結果に基づいて、ＰＵＣＣＨ情報伝送のために用いられる伝送周波数領域リソースを前記決定する段階は、
１つの候補伝送周波数領域リソースがアイドル状態にあることが感知された場合、前記端末デバイスにより、前記１つの候補伝送周波数領域リソースを、ＰＵＣＣＨ情報伝送のために用いられる伝送周波数領域リソースとして決定する段階を有する、請求項１から４のいずれか一項に記載の方法。
【請求項６】
前記端末デバイスにより、前記候補伝送周波数領域リソースの感知結果に基づいて、ＰＵＣＣＨ情報伝送のために用いられる伝送周波数領域リソースを前記決定する段階は、
少なくとも２つの候補伝送周波数領域リソースがアイドル状態にあることが感知された場合、前記端末デバイスにより、前記端末デバイスの識別子に基づいて、前記少なくとも２つの候補伝送周波数領域リソースから１つの候補伝送周波数領域リソースを選択して、前記選択された候補伝送周波数領域リソースを、ＰＵＣＣＨ情報伝送のために用いられる伝送領域リソースとして決定する段階を有する、請求項１から４のいずれか一項に記載の方法。
【請求項７】
前記端末デバイスにより、前記候補伝送周波数領域リソースの感知結果に基づいて、ＰＵＣＣＨ情報伝送のために用いられる伝送周波数領域リソースを前記決定する段階は、
前記端末デバイスにより、アイドル状態にあるすべての候補伝送周波数領域リソースを、ＰＵＣＣＨ情報伝送のために用いられる伝送周波数領域リソースとして決定する段階を有する、請求項１から４のいずれか一項に記載の方法。
【請求項８】
プロセッサと送受信機とを備え、
前記プロセッサは、１又は複数の候補伝送周波数領域リソースに対してアイドル状態感知を実行するように構成され、前記候補伝送周波数領域リソースは、ＰＵＣＣＨ情報伝送のために用いられ、
前記プロセッサは、前記候補伝送周波数領域リソースの感知結果に基づいて、ＰＵＣＣＨ情報伝送のために用いられる伝送周波数領域リソースを決定するようにさらに構成され、
前記送受信機は、前記決定された伝送周波数領域リソースを用いることにより、前記ＰＵＣＣＨ情報を伝送するように構成される、
端末デバイス。
【請求項９】
前記プロセッサは、前記１又は複数の候補伝送周波数領域リソースを決定するようにさらに構成される、請求項８に記載の端末デバイス。
【請求項１０】
前記１又は複数の候補伝送周波数領域リソースを決定するように構成される場合、前記プロセッサは、具体的には、ＰＵＣＣＨリソース構成情報に基づいて、前記１又は複数の候補伝送周波数領域リソースを決定するように構成され、前記ＰＵＣＣＨリソース構成情報は、前記１又は複数の候補伝送周波数領域リソースを示すために用いられる、請求項９に記載の端末デバイス。
【請求項１１】
前記１又は複数の候補伝送周波数領域リソースを決定するように構成される場合、前記プロセッサは、具体的には、ダウンリンク伝送リソースに基づいて、前記１又は複数の候補伝送周波数領域リソースを決定するように構成される、請求項９に記載の端末デバイス。
【請求項１２】
前記候補伝送周波数領域リソースの感知結果に基づいて、ＰＵＣＣＨ情報伝送のために用いられる伝送周波数領域リソースを決定するように構成される場合、前記プロセッサは、具体的には、１つの候補伝送周波数領域リソースがアイドル状態にあることが感知された場合、前記１つの候補伝送周波数領域リソースを、ＰＵＣＣＨ情報伝送のために用いられる伝送周波数領域リソースとして決定するように構成される、請求項８から１１のいずれか一項に記載の端末デバイス。
【請求項１３】
前記候補伝送周波数領域リソースの感知結果に基づいて、ＰＵＣＣＨ情報伝送のために用いられる伝送周波数領域リソースを決定するように構成される場合、前記プロセッサは、具体的には、少なくとも２つの候補伝送周波数領域リソースがアイドル状態にあることが感知された場合、前記端末デバイスの識別子に基づいて、前記少なくとも２つの候補伝送周波数領域リソースから１つの候補伝送周波数領域リソースを選択して、前記選択された候補伝送周波数領域リソースを、ＰＵＣＣＨ情報伝送のために用いられる伝送領域リソースとして決定するように構成される、請求項８から１１のいずれか一項に記載の端末デバイス。
【請求項１４】
前記候補伝送周波数領域リソースの感知結果に基づいて、ＰＵＣＣＨ情報伝送のために用いられる伝送周波数領域リソースを決定するように構成される場合、前記プロセッサは、具体的には、アイドル状態にあるすべての候補伝送周波数領域リソースを、ＰＵＣＣＨ情報伝送のために用いられる伝送周波数領域リソースとして決定するように構成される、請求項８から１１のいずれか一項に記載の端末デバイス。
【請求項１５】
メモリと１又は複数のプロセッサとを備え、前記メモリは、前記１又は複数のプロセッサに連結され、前記１又は複数のプロセッサは、請求項１から７のいずれか一項に記載の方法を実行するように構成される、端末デバイス。
【請求項１６】
１又は複数のプロセッサを備え、前記１又は複数のプロセッサは、メモリに連結されており、前記メモリ内の命令を読み取り、かつ、前記命令に基づいて請求項１から７のいずれか一項に記載の方法を実行する、端末デバイス。
【請求項１７】
命令を備え、前記命令がコンピュータ上で実行される場合、前記コンピュータに、請求項１から７のいずれか一項に記載の方法を実行させる、コンピュータ可読記憶媒体。
【請求項１８】
命令を備えるコンピュータプログラム製品であって、前記コンピュータプログラム製品がコンピュータ上で実行される場合、前記コンピュータに、請求項１から７のいずれか一項に記載の方法を実行させる、コンピュータプログラム製品。
【発明の詳細な説明】
【技術分野】
【０００１】
本願は、２０１７年７月１８日に中国特許庁に出願され、「伝送方法及びその装置」と題する中国特許出願第２０１７１０５８６５４２．５号に対する優先権を主張し、その全体が参照により本明細書に組み込まれる。
【０００２】
本願は、通信技術の分野、特に、伝送方法及びその装置に関する。
【背景技術】
【０００３】
無線ブロードバンドの開発を向上させるために、大量のアンライセンス周波数スペクトルリソースがグローバルに開放されている。アイドル及びフリーのアンライセンス周波数スペクトルリソースを有効に利用することができれば、周波数スペクトルリソースについての困難が大幅に緩和され得る。オペレータのために、ロングタームエボリューション（ｌｏｎｇ  ｔｅｒｍ  ｅｖｏｌｕｔｉｏｎ、ＬＴＥ）技術の使用周波数帯が、豊富なリソースを有し、かつ、フリーであるアンライセンス周波数帯に拡張される場合、周波数スペクトルリソースを取得する費用が大幅に削減される可能性が高く、ネットワークが効率的にオフロードされ、ネットワークの拡張困難が減少される。
【０００４】
ライセンス周波数スペクトル上の各無線周波数帯には１つの無線システムしかなく、別のタイプの通信システムがライセンス周波数スペクトルを使用できないので、異なるシステム間での周波数スペクトル競合に関する課題が考慮される必要がなく、ユーザ間の通信も大幅に確保され得る。８０２．１１システムに代表される別のタイプの無線通信システムは、アンライセンス周波数スペクトル上で動作する。すなわち、周波数帯は、８０２．１１システムに専用のものではなく、別の通信システムもアンライセンス周波数スペクトルを用いることができる。したがって、アンライセンス周波数スペクトル上での通信については、異なるシステム間の周波数スペクトル競合及び公平性に関する課題が検討される必要がある。アンライセンス周波数スペクトルの通信メカニズムは、ライセンス周波数スペクトルのものとは大幅に異なっている。
【０００５】
第５世代（５ｔｈ‐ｇｅｎｅｒａｔｉｏｎ、５Ｇ）モバイル通信システムの研究では、新たな無線伝送技術及び新たなシステムアーキテクチャが導入され、新たな周波数スペクトルリソースがさらに調査されており、その結果、５Ｇシステムは、リソース利用、システムスループット率及び周波数スペクトルリソースに関して、ＬＴＥシステムを総合的に上回ることができる。５Ｇシステムにおいて、アンライセンス周波数スペクトルを用いることにより、アップリンク伝送をどのように実行するかは、緊急に解決する必要がある課題である。
【発明の概要】
【０００６】
本願の実施形態により解決されるべき技術的な課題は、伝送方法及びその装置を提供することであり、アンライセンス周波数スペクトルを用いることによりアップリンク伝送を実施でき、伝送効率を改善できる。
【０００７】
第１態様によれば、本願の実施形態は伝送方法を提供し、伝送方法は以下の段階を含む。
【０００８】
段階１：端末デバイスが、１又は複数の候補伝送周波数領域リソースに対してアイドル状態感知を実行し、候補伝送周波数領域リソースは、ＰＵＣＣＨ情報伝送のために用いられる。
【０００９】
段階２：端末デバイスが、候補伝送周波数領域リソースの感知結果に基づいて、ＰＵＣＣＨ情報伝送のために用いられる伝送周波数領域リソースを決定する。
【００１０】
段階３：端末デバイスが、決定された伝送周波数領域リソースを用いることにより、ＰＵＣＣＨ情報を伝送する。
【００１１】
第２態様によれば、本願の実施形態は端末デバイスを提供し、端末デバイスは上述した第１態様に係る各段階を実行するように構成されるユニット又は手段（ｍｅａｎｓ）を含む。
【００１２】
第３態様によれば、本願の実施形態は端末デバイスを提供し、端末デバイスは少なくとも１つの処理素子と少なくとも１つの記憶素子とを含み、少なくとも１つの記憶素子は、プログラム及びデータを格納するように構成され、少なくとも１つの処理素子は、本願の第１態様において提供される方法を実行するように構成される。
【００１３】
第４態様によれば、本願の実施形態は端末デバイスを提供し、端末デバイスは第１態様に係る方法を実行するように構成される少なくとも１つの処理素子（又は、チップ）を含む。
【００１４】
第５態様によれば、本願の実施形態はプログラムを提供する。プログラムは、プロセッサにより実行される場合、第１態様に係る方法を実行するために用いられる。
【００１５】
第６態様によれば、本願の実施形態は、第５態様に係るプログラムを含むプログラム製品、例えば、コンピュータ可読記憶媒体を提供する。
【００１６】
上述の態様によれば、端末デバイスは、１又は複数の候補伝送周波数領域リソースに対してアイドル状態感知を実行して、ＰＵＣＣＨ情報伝送のために用いられる伝送周波数領域リソースを決定しており、１又は複数の候補伝送周波数領域リソースは、アンライセンス周波数領域リソースであってよく、その結果、アンライセンス周波数スペクトルを用いることにより、アップリンク伝送を実施でき、伝送効率を改善できることが分かり得る。
【００１７】
可能な実施例において、１又は複数の候補伝送周波数領域リソースは、セットの形式で示されてよい。すなわち、１つの候補伝送周波数領域リソースセットは、１又は複数の候補伝送周波数領域リソースを含む。
【００１８】
可能な実施例において、段階１を実行する前に、端末デバイスは、さらに、１又は複数の候補伝送周波数領域リソースを決定する段階を実行する。１又は複数の候補伝送周波数領域リソースが決定された場合、端末デバイスは、１又は複数の候補伝送周波数領域リソースに対してアイドル状態感知を実行できる。
【００１９】
可能な実施例において、端末デバイスは、ネットワークデバイスからＰＵＣＣＨリソース構成情報を受信する。ＰＵＣＣＨリソース構成情報は、１又は複数の候補伝送周波数領域リソースを示すために用いられ、端末デバイスは、ＰＵＣＣＨリソース構成情報に基づいて、１又は複数の候補伝送周波数領域リソースを決定する。これは、ＰＵＣＣＨリソース構成情報を用いることにより、ネットワークデバイスにより１又は複数の候補伝送周波数領域リソースを直接的に示す方式であり、かつ、単純で、直接的で、簡単に実施される。
【００２０】
可能な実施例において、ＰＵＣＣＨリソース構成情報は、ダウンリンク制御情報において保持される。すなわち、ネットワークデバイスは、ダウンリンク制御情報を用いることにより、端末デバイスに１又は複数の候補伝送周波数領域リソースを示す。
【００２１】
可能な実施例において、ＰＵＣＣＨリソース構成情報は、１又は複数の候補伝送周波数領域リソースを示すために用いられるだけでなく、さらに、候補伝送周波数領域リソースの位置情報を示すために用いられる。
【００２２】
可能な実施例において、端末デバイスは、ダウンリンク伝送リソースを取得し、ダウンリンク伝送リソースに基づいて１又は複数の候補伝送周波数領域リソースを決定する。端末デバイス及びネットワークデバイスは、ダウンリンク伝送リソースと候補伝送周波数領域リソースセットとの間の対応関係を格納する。すなわち、異なるダウンリンク伝送リソースは、異なる候補伝送周波数領域リソースセットに対応し得る。ダウンリンク伝送リソースが取得された場合、端末デバイスは、候補伝送周波数領域リソースセットを決定する、具体的には、ダウンリンク伝送リソースと候補伝送周波数領域リソースセットとの間の対応関係に基づいて、１又は複数の候補伝送周波数領域リソースを決定する。これは、余分なインジケーションオーバヘッドを追加することなく、ダウンリンク伝送リソースを用いることにより、ネットワークデバイスが１又は複数の候補伝送周波数領域リソースを間接的に示すという方式である。
【００２３】
可能な実施例において、１つの候補伝送周波数領域リソースがアイドル状態にあることを端末デバイスが感知した場合、端末デバイスは、候補伝送周波数領域リソースを、ＰＵＣＣＨ情報伝送のために用いられる伝送周波数領域リソースとして決定する。
【００２４】
可能な実施例において、少なくとも２つの候補伝送周波数領域リソースがアイドル状態にあることを端末デバイスが感知した場合、端末デバイスは、端末デバイスの識別子に基づいて、少なくとも２つの候補伝送周波数領域リソースから１つの候補伝送周波数領域リソースを選択し、選択された候補伝送周波数領域リソースを、ＰＵＣＣＨ情報伝送のために用いられる伝送領域リソースとして決定する。例えば、アイドル状態にある候補伝送周波数領域リソースの数は、端末デバイスの識別子に対するモジュロ演算を行って、１つの候補伝送周波数領域リソースを選択するために用いられる。
【００２５】
可能な実施例において、少なくとも２つの候補伝送周波数領域リソースがアイドル状態にあることを端末デバイスが感知した場合、端末デバイスは、少なくとも２つの候補伝送周波数領域リソースから１つの候補伝送周波数領域リソースをランダムに選択し、選択された候補伝送周波数領域リソースを、ＰＵＣＣＨ情報伝送のために用いられる伝送領域リソースとして決定する。
【００２６】
可能な実施例において、端末デバイスは、アイドル状態にあるすべての候補伝送周波数領域リソースを、ＰＵＣＣＨ情報伝送のために用いられる伝送周波数領域リソースとして決定する。２つの候補伝送周波数領域リソースがアイドル状態にあると仮定すると、端末デバイスは、２つの候補伝送周波数領域リソース上でＰＵＣＣＨ情報を伝送する。このやり方では、ネットワークデバイスは、ブラインド検出を実行する必要はなく、２つの候補伝送周波数領域リソース上のＰＵＣＣＨ情報を直接組み合わせて受信する。
【図面の簡単な説明】
【００２７】
本願の実施形態における又は背景技術における技術的解決手段をより明確に説明するために、以下では、本願の実施形態又は背景技術を説明するために必要とされる添付の図面を簡潔に説明する。
【００２８】
【図１】本願の実施形態に係るネットワークアーキテクチャの概略図である。
【００２９】
【図２】進化型ライセンスアシストアクセス技術の概略図である。
【００３０】
【図３】周波数領域上の物理アップリンク制御チャネルの概略図である。
【００３１】
【図４】本願の実施形態に係る伝送方法の概略フローチャートである。
【００３２】
【図５】本願の実施形態に係る構成例の図である。
【００３３】
【図６】本願の実施形態に係る別の構成例の図である。
【００３４】
【図７】本願の実施形態に係る別の伝送方法の概略フローチャートである。
【００３５】
【図８】本願の実施形態に係るさらに別の伝送方法の概略フローチャートである。
【００３６】
【図９】本願の実施形態に係るデバイスの簡略化された概略図１である。
【００３７】
【図１０】本願の実施形態に係る端末デバイスの簡略化された概略的な構造図である。
【００３８】
【図１１】本願の実施形態に係るデバイスの簡略化された概略図２である。
【００３９】
【図１２】本願の実施形態に係るネットワークデバイスの簡略化された概略的な構造図である。
【発明を実施するための形態】
【００４０】
以下では、当業者がより良い理解を得るのを助けるために、本願におけるいくつかの用語が説明される。
【００４１】
（１）端末デバイスは、ユーザ機器（ｕｓｅｒ  ｅｑｕｉｐｍｅｎｔ、ＵＥ）、移動局（ｍｏｂｉｌｅ  ｓｔａｔｉｏｎ、ＭＳ）又はモバイル端末（ｍｏｂｉｌｅ  ｔｅｒｍｉｎａｌ、ＭＴ）などとも称され、無線接続機能を有するハンドヘルドデバイス又は車載デバイスなどの音声及び／又はデータ接続をユーザに提供するデバイスである。現在のところ、端末デバイスのいくつかの例は、携帯電話（ｍｏｂｉｌｅ  ｐｈｏｎｅ）、タブレットコンピュータ、ノートブックコンピュータ、パームトップコンピュータ、モバイルインターネットデバイス（ｍｏｂｉｌｅ  ｉｎｔｅｒｎｅｔ  ｄｅｖｉｃｅ、ＭＩＤ）、ウェアラブル機器、仮想現実（ｖｉｒｔｕａｌ  ｒｅａｌｉｔｙ、ＶＲ）デバイス、拡張現実（ａｕｇｍｅｎｔｅｄ  ｒｅａｌｉｔｙ、ＡＲ）デバイス、産業用制御（ｉｎｄｕｓｔｒｉａｌ  ｃｏｎｔｒｏｌ）における無線端末、自動運転（ｓｅｌｆ  ｄｒｉｖｉｎｇ）における無線端末、遠隔外科手術（ｒｅｍｏｔｅ  ｍｅｄｉｃａｌ  ｓｕｒｇｅｒｙ）における無線端末、スマートグリッド（ｓｍａｒｔ  ｇｒｉｄ）における無線端末、輸送安全性（ｔｒａｎｓｐｏｒｔａｔｉｏｎ  ｓａｆｅｔｙ）における無線端末、スマートシティ（ｓｍａｒｔ  ｃｉｔｙ）における無線端末及びスマートホーム（ｓｍａｒｔ  ｈｏｍｅ）における無線端末などを含む。
【００４２】
（２）無線アクセスネットワーク（ｒａｄｉｏ  ａｃｃｅｓｓ  ｎｅｔｗｏｒｋ、ＲＡＮ）は、ネットワーク内にあり、かつ、端末を無線ネットワークに接続する部分である。ＲＡＮノード（又は、デバイス）は、無線アクセスネットワーク内のノード（又は、デバイス）であり、基地局とも称され得る。現在のところ、ＲＡＮノードのいくつか例は、ｇＮＢ、送信受信ポイント（ｔｒａｎｓｍｉｓｓｉｏｎ  ｒｅｃｅｐｔｉｏｎ  ｐｏｉｎｔ、ＴＲＰ）、進化型ノードＢ（ｅｖｏｌｖｅｄ  ＮｏｄｅＢ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）、基地局コントローラ（ｂａｓｅ  ｓｔａｔｉｏｎ  ｃｏｎｔｒｏｌｌｅｒ、ＢＳＣ）、ベーストランシーバ基地局（ｂａｓｅ  ｔｒａｎｓｃｅｉｖｅｒ  ｓｔａｔｉｏｎ、ＢＴＳ）、ホームノードＢ（例えば、ｈｏｍｅ  ｅｖｏｌｖｅｄ  ＮｏｄｅＢ又はｈｏｍｅ  ＮｏｄｅＢ、ＨＮＢ）、ベースバンドユニット（ｂａｓｅ  ｂａｎｄ  ｕｎｉｔ、ＢＢＵ）、局（ｓｔａｔｉｏｎ、ＳＴＡ）、ワイヤレスフィデリティ（ｗｉｒｅｌｅｓｓ  ｆｉｄｅｌｉｔｙ、Ｗｉｆｉ（登録商標））及びアクセスポイント（ａｃｃｅｓｓ  ｐｏｉｎｔ、ＡＰ）などを含む。さらに、ネットワーク構成において、ＲＡＮは、集中型ユニット（ｃｅｎｔｒａｌｉｚｅｄ  ｕｎｉｔ、ＣＵ）ノード及び分散型ユニット（ｄｉｓｔｒｉｂｕｔｅｄ  ｕｎｉｔ、ＤＵ）ノードを含んでよい。そのような構成において、ロングタームエボリューション（ｌｏｎｇ  ｔｅｒｍ  ｅｖｏｌｕｔｉｏｎ、ＬＴＥ）システムにおけるｅＮＢのプロトコル層は分割されており、当該プロトコル層のいくつかの機能はＣＵの集中型制御下にあり、プロトコル層の残りの機能又はすべての機能はＤＵに分散され、ＤＵはＣＵの集中型制御下にある。
【００４３】
（３）「複数の」は、２又はそれより多いことを指し、他の数量詞も同様である。用語「及び／又は」は、関連するオブジェクトを説明するための対応関係を説明し、３つの関係が存在し得ることを表す。例えば、Ａ及び／又はＢは、Ａのみが存在する、Ａ及びＢの両方が存在する、及び、Ｂのみが存在するという３つの場合を表し得る。記号「／」は、概して、関連するオブジェクト間の「又は」の関係を示す。
【００４４】
図１は、本願の実施形態に係るネットワークアーキテクチャの概略図である。ネットワークアーキテクチャは、無線通信システムのネットワークアーキテクチャであってよく、端末デバイス及びネットワークデバイスを含んでよい。図１に示される端末デバイス及びネットワークデバイスの数及び形態は、本願の実施形態において制限されるものではないことに留意されたい。実際の用途において、１つのネットワークデバイスは、複数の端末デバイスに接続されてよい。ネットワークデバイスは、コアネットワークデバイスに接続されてよく、コアネットワークデバイスは、図１に示されていない。ネットワークデバイスは、基地局であってよく、基地局は、ベースバンドユニット（ｂａｓｅｂａｎｄ  ｕｎｉｔ、ＢＢＵ）及びリモート無線ユニット（ｒｅｍｏｔｅ  ｒａｄｉｏ  ｕｎｉｔ、ＲＲＵ）を含んでよい。ＢＢＵ及びＲＲＵは、異なる位置に配置されてよい。例えば、ＲＲＵは、高トラフィック量を有する広大な領域に遠隔に配置され、ＢＢＵは、中央機器室に配置される。代わりに、ＢＢＵ及びＲＲＵは同じ機器室に配置されてよい。代わりに、ＢＢＵ及びＲＲＵは、１つのラック上の異なるコンポーネントであってよい。
【００４５】
本願の実施形態で言及される無線通信システムは、限定されるものではないが、狭帯域モノのインターネット（ｎａｒｒｏｗ  ｂａｎｄ‐ｉｎｔｅｒｎｅｔ  ｏｆ  ｔｈｉｎｇｓ、ＮＢ‐ＩｏＴ）システム、グローバルシステムフォーモバイルコミュニケーション（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））、ＧＳＭ（登録商標）進化型高速データレート（ｅｎｈａｎｃｅｄ  Ｄａｔａ  ｒａｔｅ  ｆｏｒ  ＧＳＭ  ｅｖｏｌｕｔｉｏｎ、ＥＤＧＥ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、符号分割多元接続２０００（ｃｏｄｅ  ｄｉｖｉｓｉｏｎ  ｍｕｌｔｉｐｌｅ  ａｃｃｅｓｓ、ＣＤＭＡ２０００）システム、時分割同期符号分割多元接続（ｔｉｍｅ  ｄｉｖｉｓｉｏｎ‐ｓｙｎｃｈｒｏｎｉｚａｔｉｏｎ  ｃｏｄｅ  ｄｉｖｉｓｉｏｎ  ｍｕｌｔｉｐｌｅ  ａｃｃｅｓｓ、ＴＤ−ＳＣＤＭＡ）システム、ロングタームエボリューション（ｌｏｎｇ  ｔｅｒｍ  ｅｖｏｌｕｔｉｏｎ、ＬＴＥ）システム、第５世代モバイル通信システム、及び、将来のモバイル通信システムを含むことに留意されたい。
【００４６】
本発明の実施形態では、ネットワークデバイスは、無線アクセスネットワークにおいて展開される装置であり、無線通信機能をユーザ機器に提供するように構成される。ネットワークデバイスは、様々な形式で、マクロ基地局、マイクロ基地局（スモールセルとも称される）、リレー局、アクセスポイント及びＴＲＰなどを含んでよい。異なる無線アクセス技術を用いるシステムにおいて、基地局の機能を有するデバイスは、それとは別に名付けられてよい。例えば、デバイスは、ＬＴＥシステムではｅＮＢ又はｅＮｏｄｅＢと称され、第３世代（３ｒｄ  Ｇｅｎｅｒａｔｉｏｎ、３Ｇ）システムではＮＢなどと称される。説明しやすくするために、本願のすべての実施形態において、無線通信機能をユーザデバイスに提供する上述のすべての装置は、ネットワークデバイスと称される。
【００４７】
本願の実施形態における端末デバイスは、様々なハンドヘルドデバイス、車載デバイス、ウェアラブルデバイス、又は、無線通信機能を有するコンピューティングデバイス、又は、無線モデムに接続される他の処理デバイスを含んでよい。説明しやすくするために、本願のすべての実施形態において、ネットワークデバイスに接続されるユーザ機器は、まとめて端末デバイスと称される。
【００４８】
ネットワークデバイスは、端末デバイスにダウンリンクデータを伝送し、データは、チャネル符号化を用いることによりエンコードされ、チャネル符号化後に取得されるデータは、対象のコンスタレーション変調の後に端末デバイスに伝送され、端末デバイスは、ネットワークデバイスにアップリンクデータを伝送し、アップリンクデータもチャネル符号化を用いることによりエンコードされてよく、エンコードされたデータは、対象のコンスタレーション変調の後にネットワークデバイスに伝送される。
【００４９】
５Ｇシステムの研究では、新たな無線伝送技術及び新たなシステムアーキテクチャが導入され、新たな周波数スペクトルリソースがさらに調査されており、その結果、５Ｇシステムは、リソース利用率、システムスループット率及び周波数スペクトルリソースに関してＬＴＥシステムを総合的に上回ることができる。５Ｇシステムにおいて、アンライセンス周波数スペクトルを用いることにより、アップリンク伝送をどのように実行するかは、緊急に解決する必要がある課題である。
【００５０】
進化型ライセンスアシストアクセス（ｅｎｈａｎｃｅｄ  ｌｉｃｅｎｓｅｄ‐ａｓｓｉｓｔｅｄ  ａｃｃｅｓｓ、ｅＬＡＡ）は、ＬＴＥシステムをアンライセンス周波数スペクトルに導入するという実装解決手段である。図２に示されるように、ｅＬＡＡは、キャリアアグリゲーション（ｃａｒｒｉｅｒ  ａｇｇｒｅｇａｔｉｏｎ、ＣＡ）の方式でプライマリセルとセカンダリセルとの間のチャネルボンディングを実施する。プライマリセル（ｐｒｉｍａｒｙ  ｃｅｌｌ、Ｐｃｅｌｌ）は、ライセンス周波数帯で動作し、キーメッセージと、サービス品質保証を必要とするサービスとを伝送し、セカンダリセル（ｓｅｃｏｎｄａｒｙ  ｃｅｌｌ、Ｓｃｅｌｌ）は、アンライセンス周波数帯で動作し、実際のデータプレーンの性能を向上させることを目標とし、セカンダリセルは、アップリンク伝送及びダウンリンク伝送を同時にサポートできる。
【００５１】
ｅＬＡＡ技術では、物理アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）は、Ｐｃｅｌｌ上のみで伝送されており、具体的には、ライセンス周波数スペクトル（ライセンス周波数帯とも称される）上で伝送されており、図３に示されるように、大抵、周波数領域に関してアップリンクシステム帯域幅の端にあるように構成される。１つのＰＵＣＣＨは、１つのアップリンクサブフレーム（ｓｕｂｆｒａｍｅ）内の２つのスロット（ｓｌｏｔ）を占有し、各スロットは、周波数領域内の１２個のサブキャリア、すなわち、１つのリソースブロック（ｒｅｓｏｕｒｃｅ  ｂｌｏｃｋ、ＲＢ）を占有する。同じサブフレーム内で、ＰＵＣＣＨの２つの連続するスロットの物理リソースブロック（ｐｈｙｓｉｃａｌ  ｒｅｓｏｕｒｃｅ  ｂｌｏｃｋ、ＰＲＢ）は、利用可能な周波数スペクトルリソースの２つの端部にそれぞれ配置される。
【００５２】
リソースを有効に活用するために、同じセルにある複数のＵＥは、それぞれのＰＵＣＣＨを送信するために同じＲＢペアを共有し得る。これは、直交符号分割多重（ｏｒｔｈｏｇｏｎａｌ  ｃｏｄｅ  ｄｉｖｉｓｉｏｎ  ｍｕｌｔｉｐｌｅｘｉｎｇ、ＣＤＭ）を通じて、周波数領域での巡回シフトを用いて、又は、時間領域での直交シーケンスを用いて実施される。異なるＰＵＣＣＨフォーマット（ｆｏｒｍａｔ）に関して、異なるＣＤＭ技術が用いられ得る。
【００５３】
５Ｇにおいて予定されているシナリオは、アンライセンス周波数帯のスタンドアロンネットワーキングである。すなわち、ライセンス周波数帯を用いることなく、すべての制御及びデータ信号がアンライセンス周波数帯で伝送される。システム間での干渉、例えば、Ｂｌｕｅｔｏｏｔｈ（登録商標）又は無線ローカルエリアネットワーク（ｗｉｒｅｌｅｓｓ  ｌｏｃａｌ  ａｒｅａ  ｎｅｔｗｏｒｋｓ、ＷＬＡＮ）からのアンライセンス周波数スペクトルに対する干渉があり得る。したがって、データを伝送するサイトは、まず、リッスンビフォアトーク（ｌｉｓｔｅｎ  ｂｅｆｏｒｅ  ｔａｌｋ、ＬＢＴ）を実行する必要があり、具体的には、チャネルがアイドルであるか否かを感知して、別のサイトがデータを伝送しているか否かを決定する必要がある。チャネルがアイドルである場合、サイトはデータを伝送でき、そうでなければ、サイトは再度試みる前にある期間バックオフする。したがって、チャネルがアイドルではないので、ＰＵＣＣＨを送信できない可能性がある。さらに、現在のアンライセンス周波数帯が相対的に大きな利用可能な帯域幅、例えば、８０／１６０ＭＨｚ帯域幅を有するので、認可されていない周波数スペクトル上で大きな帯域幅データ伝送を実行するためにＣＡに対して複数の２０ＭＨｚ帯域幅が用いられる場合、各伝送の実際の帯域幅は、ＬＢＴの存在に起因して柔軟かつ可変である。ＰＵＣＣＨがＰｃｅｌｌ上のみで伝送されると仮定すると、ＰｃｅｌｌのＬＢＴが失敗した場合、たとえ別のＳｃｅｌｌのＬＢＴが成功したとしても、ＵＥは、ＰＵＣＣＨに対して応答できない。結果的に、システムの遅延が増加し、伝送効率が低下する。
【００５４】
これを考慮すると、本願の実施形態は、伝送方法及びその装置を提供することで、アンライセンス周波数スペクトルを用いることによりアップリンク伝送を実施でき、伝送効率を改善できる。
【００５５】
本願の実施形態において提供される伝送方法及びその装置は、通信システム、例えば、５Ｇにおけるアンライセンス周波数帯でのネットワークデバイスと端末デバイスとの間の通信のシナリオに適用されることができ、具体的には、アンライセンス周波数帯でのスタンドアロンネットワーキングのシナリオに適用されることができる。
【００５６】
本願の実施形態に含まれる伝送周波数領域リソースは、端末デバイスによるＰＵＣＣＨ情報アップリンク伝送のために用いられ、アクティブなアップリンク帯域幅部分（ｂａｎｄｗｉｄｔｈ  Ｐａｒｔ、ＢＷＰ）であってよい、又は、ＰＵＣＣＨアップリンク伝送を説明するために用いられる別の用語であってよい。説明しやすくするために、本願の実施形態では、伝送周波数領域リソースは、ＢＷＰを例として用いることにより紹介される。
【００５７】
ＢＷＰは、連続するＰＲＢのセットを含み、１つのシングル広帯域キャリア（ｓｉｎｇｌｅ  ｗｉｄｅｂａｎｄ  ｃａｒｒｉｅｒ）内の１つのサブバンドであってよい、又は、キャリアアグリゲーション（ｃａｒｒｉｅｒ  ａｇｇｒｅｇａｔｉｏｎ、ＣＡ）内の１つのコンポーネントキャリア（ｃｏｍｐｏｎｅｎｔ  ｃａｒｒｉｅｒ、ＣＣ）の帯域幅であってよい。サブバンドは、１又は複数のキャリアに対応し得る、又は、１つのキャリア上のいくつかサブキャリア又はいくつかリソースブロックなどに対応し得る。ＢＷＰの基本単位は、２０ＭＨｚ、４０ＭＨｚ、６０ＭＨｚ又は８０ＭＨｚなどであってよい。これは、本願の実施形態において限定されるものではない。
【００５８】
ネットワークデバイスは、端末デバイスに対してｍ（ｍ＞＝１）個のＢＷＰを構成でき、ある期間内に、ここにｎ（ｎ＜＝ｍ）個のＢＷＰを選択的にアクティブ化できる。異なる実施例では、端末デバイスのＢＷＰ構成は、同じであっても異なっていてもよい。これは、本願において限定されるものではない。
【００５９】
以下では、図４から図８を参照して、本願の実施形態において提供される伝送方法を詳細に説明する。
【００６０】
図４は、本願の実施形態に係る伝送方法の概略フローチャートである。端末デバイスの観点から方法が説明される。方法は、限定されるものではないが、以下の段階を含む。
【００６１】
段階Ｓ４０１：１又は複数の候補伝送周波数領域リソースに対してアイドル状態感知を実行し、候補伝送周波数領域リソースは、ＰＵＣＣＨ情報伝送のために用いられる。
【００６２】
ＰＵＣＣＨ情報は、ネットワークデバイスにより送信されたハイブリッド自動再送要求（ｈｙｂｒｉｄ  ａｕｔｏｍａｔｉｃ  ｒｅｐｅａｔ  ｒｅｑｕｅｓｔ、ＨＡＲＱ）に応答するために用いられる、肯定応答（ａｃｋｎｏｗｌｅｄｇｅ、ＡＣＫ）、又は、否定応答（ｎｏｎ‐ａｃｋｎｏｗｌｅｄｇｅ、ＮＡＣＫ）を保持する情報であってよい、又は、スケジューリング要求（ｓｃｈｅｄｕｌｉｎｇ  ｒｅｑｕｅｓｔ，ＳＲ）を保持する情報であってよい、又は、チャネル状態情報（ｃｈａｎｎｅｌ  ｓｔａｔｅ  ｉｎｆｏｒｍａｔｉｏｎ、ＣＳＩ）を保持する情報であってよい、又は、他のコンテンツを保持する情報であってよい。代わりに、ＰＵＣＣＨ情報は、ＡＣＫ／ＮＡＣＫ、ＳＲ、ＣＳＩ又は他のコンテンツのうちのいくつかのタイプを保持する情報であってよい。特定のＰＵＣＣＨ情報に保持されるコンテンツは、本願の本実施形態において限定されるものではない。便宜上、本願の実施形態における説明は、ＡＣＫ／ＮＡＣＫを保持するＰＵＣＣＨ情報を例として用いることにより提供される。
【００６３】
１又は複数の候補伝送周波数領域リソースは、セットの形式で示されてよい。すなわち、１つの候補伝送周波数領域リソースセットは、１又は複数の候補伝送周波数領域リソースを含む。ネットワークデバイスは、同じ候補伝送周波数領域リソースセットを構成してよい、又は、異なる端末デバイスごとに異なる候補伝送周波数領域リソースセットを構成してよい。これは、本願の本実施形態において限定されるものではない。
【００６４】
候補伝送周波数領域リソースセットは、ネットワークデバイスにより最初に構成される伝送周波数領域リソースであってよく、例えば、ネットワークデバイスは、端末デバイスに対してｍ（ｍ≧１、正の整数）個のＢＷＰを最初に構成する、又は、ある期間、ネットワークデバイスにより選択的にアクティブ化される伝送周波数領域リソースであってよく、例えば、ｎ個の選択的にアクティブ化されるＢＷＰ（１≦ｎ≦ｍ）であってよい、又は、１つのＢＷＰ内の１又は複数のサブバンドであってよく、例えば、ネットワークデバイスは、端末デバイスに対して８０ＭＨｚのＢＷＰを構成し、候補伝送周波数領域リソースセットは、４つの２０ＭＨｚのサブバンドを含んでよい。
【００６５】
具体的には、端末デバイスは、各候補伝送周波数領域リソースに対してアイドル状態感知を実行し、具体的には、どのＢＷＰがアイドルであり、データ伝送を実行できるか、及び、どのＢＷＰが占有された状態にあり、データ伝送を実行できないかを感知する。
【００６６】
実施例において、端末デバイスは、ＬＢＴの方式で各候補伝送周波数領域リソースに対してアイドル状態感知を実行する。候補伝送周波数領域リソースがＬＢＴを行わない場合、候補伝送周波数領域がアイドル状態にあることが決定され得る。別の実施例において、端末デバイスは、別の方式で各候補伝送周波数領域リソースに対してアイドル状態感知を実行してよい。具体的に用いられる方式は、本願の本実施形態において限定されるものではない。ＬＢＴの特定の実施例は、本願の本実施形態において限定されるものではない。
【００６７】
端末デバイスが、１又は複数の候補伝送周波数領域リソースに対してアイドル状態感知を実行する前に、１又は複数の候補伝送周波数領域リソースが決定される。
【００６８】
可能な実施例において、端末デバイスは、ＰＵＣＣＨリソース構成情報に基づいて、ＰＵＣＣＨ情報伝送のために用いられる１又は複数の候補伝送周波数領域リソースを決定する。
【００６９】
ＰＵＣＣＨリソース構成において、ネットワークデバイスは、１又は複数の候補伝送周波数領域リソースを示すために用いられる１又は複数の候補伝送周波数領域リソースのインジケーション情報を構成する。インジケーション情報は、１又は複数の候補伝送周波数領域リソースを直接的に示してよく、例えば、１又は複数のＢＷＰの１つの識別子又は複数の識別子を示し、又は、別の例として、ＢＷＰセットの識別子を示し、端末デバイスは、当該セットの識別子と、含まれるＢＷＰとの間の対応関係に基づいて、１又は複数の候補伝送周波数領域リソースを決定してよい。インジケーション情報は、１又は複数の候補伝送周波数領域リソースを間接的に示してもよい。
【００７０】
例えば、ネットワークデバイスのシステム帯域幅は８０ＭＨｚであり、４つの端末デバイス（ＵＥ）がそれぞれスケジューリングされて、４つのアクティブなアップリンクＢＷＰが各ＵＥに対して構成され、各ＢＷＰの帯域幅は２０ＭＨｚである。ネットワークデバイスは、ＢＷＰ１及び／又はＢＷＰ２上でＰＵＣＣＨ情報を送信するＵＥ１を構成する。すなわち、ＵＥ１は、アップリンクＰＵＣＣＨ情報と、ＢＷＰ１及びＢＷＰ２を含むアップリンクＢＷＰセットとを伝送するように構成される。同様に、ネットワークデバイスは、ＢＷＰ１及び／又はＢＷＰ２上でＰＵＣＣＨを送信するＵＥ２を構成し、ネットワークデバイスは、ＢＷＰ３及び／又はＢＷＰ４上でＰＵＣＣＨを送信するＵＥ３及びＵＥ４を構成する。図５を参照されたい。
【００７１】
別の実施例において、ＰＵＣＣＨリソース構成情報は、アップリンクＢＷＰセットのシーケンス番号を含む。アップリンクＢＷＰセットのシーケンス番号と、含まれるアップリンクＢＷＰとの間の対応関係は、以下の表１に示される。
【表１】
2020526996.tif 000003
【００７２】
表１は、単なる例に過ぎないことに留意された。実際には、そのいくつかのサブセットが、利用可能な構成セットとして選択されてよい。例えば、ネットワークデバイスは、ＵＥに対して３つのアクティブな２０ＭＨｚアップリンクＢＷＰを構成し、ＰＵＣＣＨ情報伝送のために用いられるアップリンクＢＷＰセットのシーケンス番号と、アップリンクＢＷＰセットに含まれるアップリンクＢＷＰとの間の対応関係が以下の表２に示される。
【表２】
2020526996.tif 000004
【００７３】
別の実施例において、ネットワークデバイスは、端末デバイスに対して、より多くのアクティブなアップリンクＢＷＰ、例えば、８つのアクティブなアップリンクＢＷＰを構成してよい。この場合、表２は、さらに拡張され得る。これは、本願の本実施形態において限定されるものではない。
【００７４】
別の実施例において、ネットワークデバイスは、異なる端末デバイスごとに異なる数のアクティブなアップリンクＢＷＰを構成してよい。ネットワークデバイスは、ＵＥ１に対して３つのアクティブな２０ＭＨｚアップリンクＢＷＰを構成し、ＵＥ２に対して２つのアクティブな２０ＭＨｚアップリンクＢＷＰを構成し、ＵＥ３に対して４つのアクティブな２０ＭＨｚアップリンクＢＷＰを構成する。これは、本願の本実施形態において限定されるものではない。各端末デバイスに対してネットワークデバイスにより構成されるアクティブなアップリンクＢＷＰセットは、同じアップリンクＢＷＰを含んでよい。
【００７５】
ＰＵＣＣＨリソース構成情報は、１又は複数の候補伝送周波数領域リソースの情報を示すために用いられるだけでなく、さらに、時間領域情報、具体的には、ＰＵＣＣＨが配置されるサブフレーム又はスロットの位置、及び、サブフレーム又はスロット内のシンボルの位置を含んでよく、さらに、候補伝送周波数領域リソースの位置情報（アップリンクＢＷＰにおける周波数領域リソースの位置）、例えば、リソースインタレースインデックス（ｉｎｔｅｒｌａｃｅ  ｉｎｄｅｘ）を含んでよく、さらに、直交拡張符号などを含んでよい。これは、本願の本実施形態において限定されるものではない。
【００７６】
候補伝送周波数領域リソースの位置情報は、候補伝送周波数領域リソースがどのサブバンド又はどのＣＣであるかを示すために用いられ得る。例えば、ＢＷＰの基本単位が２０Ｍであると仮定すると、候補伝送周波数領域リソースの位置情報は、ＢＷＰがシングル広域キャリア内のどのサブバンド又はＣＡ内のどのＣＣであるかを示すために用いられ得る。別の実施例において、候補伝送周波数領域リソースの位置情報は、代わりに、ＢＷＰ内のどの周波数リソースが占有された状態であるかを示す、例えば、２０ＭＨｚのＢＷＰ内のどの周波数領域リソース占有された状態であるかを示すために用いられてよい。
【００７７】
図５に示される例に基づいて、時間領域内のサブフレーム１及びサブフレーム２に対応するＡＣＫ／ＮＡＣＫ情報は、サブフレーム５の最後の２つの直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルに配置され、サブフレーム３及びサブフレーム４のＡＣＫ／ＮＡＣＫ情報は、サブフレーム６の最後の２つのＯＦＤＭシンボルに配置される。
【００７８】
ＰＵＣＣＨリソース構成情報は、前もってネットワークデバイスにより準静的に構成されてよい、又は、端末デバイスに送信されるダウンリンク制御情報においてネットワークデバイスにより動的に示されてよい、すなわち、ダウンリンク制御情報において保持される、又は、混合方式で構成されてよい。これは、本願の本実施形態において限定されるものではない。ダウンリンク制御情報は、ＬＴＥシステムにおいて規定されるＤＣＩ（ダウンリンク制御情報）であってよい、又は、将来の通信システムにおいて規定される別の名称のダウンリンク制御情報であってよい。具体的には、アップリンクＢＷＰセットの上述のインジケーション情報は、ダウンリンク制御情報において保持され得る。
【００７９】
ＰＵＣＣＨリソース構成情報が、１又は複数の候補伝送周波数領域リソースを直接的に示す場合、端末デバイスは、ＢＷＰセットのシーケンス番号に基づく表検索を通じて、ＢＷＰセットに含まれるアップリンクＢＷＰを直接的に決定してよい。
【００８０】
ＰＵＣＣＨリソース構成情報が、１又は複数の候補伝送周波数領域リソースを間接的に示す場合、端末デバイスは、予め設定された公式に基づいて、計算により、ＰＵＣＣＨリソースのシーケンス番号からＢＷＰセットの対応するシーケンス番号を取得し、含まれるアップリンクＢＷＰを、表検索を通じて決定してよい。
【００８１】
別の実施例において、ＰＵＣＣＨリソース構成情報が、１又は複数の候補伝送周波数領域リソースの情報を示すために用いられる情報に加えて、情報をさらに含む場合、端末デバイスは、さらに、ＰＵＣＣＨリソース構成情報に基づいて、他の情報、例えば、時間領域情報、アップリンクＢＷＰにおける周波数領域リソースの位置、及び、直交拡張符号情報などを決定してよい。
【００８２】
可能な実施例において、端末デバイスは、ダウンリンク伝送リソースに基づいて、ＰＵＣＣＨ情報伝送のために用いられる１又は複数の候補伝送周波数領域リソースを決定する。
【００８３】
端末デバイスに対するダウンリンク伝送リソースを決定している間、ネットワークデバイスは、ダウンリンク伝送リソースと候補伝送周波数領域リソースセットとの間の対応関係を決定する、すなわち、スケジューリングされる端末デバイスのダウンリンク伝送リソースとアップリンクＢＷＰセットとを結合する。ダウンリンク伝送リソースとアップリンクＢＷＰセットとの間の対応関係は、プロトコルにより設定されてよく、ネットワークデバイス及び端末デバイスの両方に知られ、又は、ネットワークデバイスにより設定されてよく、ダウンリンク伝送リソースの学習の場合、端末デバイスが対応関係及びダウンリンク伝送リソースに基づいてアップリンクＢＷＰセットを決定し得るように、ダウンリンク伝送リソースとアップリンクＢＷＰセットとの間の対応関係が端末デバイスに前もって通知される。
【００８４】
例えば、サブフレーム１及びサブフレーム２においてＵＥ１に割り当てられるダウンリンク伝送帯域幅は、ＢＷＰ１及びＢＷＰ２を含み、したがって、サブフレーム５内のＵＥ１に対応するアップリンクＢＷＰセットは、ＢＷＰ１及びＢＷＰ２を含み、サブフレーム３及びサブフレーム４においてＵＥ１に割り当てられるダウンリンク伝送帯域幅は、ＢＷＰ１のみを含み、したがって、サブフレーム６内のＵＥ１に対応するアップリンクＢＷＰセットは、ＢＷＰ１のみを含む。同様に、サブフレーム５及びサブフレーム６内のＵＥ２に対応するアップリンクＢＷＰセットは、ＢＷＰ２のみを含み、サブフレーム５及びサブフレーム６の両方におけるＵＥ３に対応するアップリンクＢＷＰセットは、ＢＷＰ３のみを含み、サブフレーム５内のＵＥ４に対応するアップリンクＢＷＰセットは、ＢＷＰ４のみを含み、サブフレーム６内のＵＥ４に対応するアップリンクＢＷＰセットは、ＢＷＰ３及びＢＷＰ４を含む。図６を参照されたい。
【００８５】
端末デバイスは、学習したダウンリンク伝送リソース、及び、ダウンリンク伝送リソースとアップリンクＢＷＰセットとの間の対応関係に基づいて、アップリンクＢＷＰセットを決定する、すなわち、１又は複数の候補伝送周波数領域リソースを決定する。
【００８６】
段階Ｓ４０２：候補伝送周波数領域リソースの感知結果に基づいて、ＰＵＣＣＨ情報伝送のために用いられる伝送周波数領域リソースを決定する。
【００８７】
端末デバイスが、アップリンクＢＷＰセットに含まれるアップリンクＢＷＰに対してアイドル状態感知を実行する処理において、いくつかのアップリンクＢＷＰがアイドル状態にあり、かつ、いくつかアップリンクＢＷＰが占有された状態にあること、又は、すべてのアップリンクＢＷＰがアイドル状態にあること、又は、すべてのアップリンクＢＷＰが占有された状態にあることなどを可能にする。
【００８８】
可能な実施例において、すべての候補伝送周波数領域リソースの感知結果が占有された状態である場合、端末デバイスは、ＰＵＣＣＨ情報伝送を中止する。
【００８９】
可能な実施例において、すべての候補伝送周波数領域リソースのうち、たった１つの候補伝送周波数領域リソースの結果がアイドル状態であった場合、端末デバイスは、アイドル状態にある候補伝送周波数領域リソースを、ＰＵＣＣＨ情報伝送のために用いられる伝送周波数領域リソースとして決定する。
【００９０】
可能な実施例において、すべての候補伝送周波数領域リソースのうち、少なくとも２つの候補伝送周波数領域リソースの結果がアイドル状態であった場合、端末デバイスは、端末デバイスの識別子に基づいて、少なくとも２つの候補伝送周波数領域リソースから１つの候補伝送周波数領域リソースを選択し、選択された候補伝送周波数領域リソースを、ＰＵＣＣＨ情報伝送のために用いられる伝送領域リソースとして決定する。例えば、端末デバイスは、ＵＥの識別情報（ｉｄｅｎｔｉｆｉｃａｔｉｏｎ、ＩＤ）に基づいて、少なくとも２つの候補伝送周波数領域リソースのうち、ＰＵＣＣＨ情報伝送のために用いられる伝送周波数領域リソースを決定する。ＵＥ１が、ＢＷＰ１及びＢＷＰ２の両方に対するＬＢＴを行わないと仮定すると、利用可能なＢＷＰの数は２である。ＵＥ１は、そのＵＥ  ＩＤを２でモジュロ演算を行い、剰余が０である場合、ＢＷＰ１を、ＰＵＣＣＨ情報伝送のために用いられる伝送周波数領域リソースとして決定し、剰余が１である場合、ＢＷＰ２を、ＰＵＣＣＨ情報伝送のために用いられる伝送周波数領域リソースとして決定する。別の実施例において、剰余と、ＰＵＣＣＨ情報伝送のために用いられる伝送周波数領域リソースとの間の対応関係に関して、別の方式が用いられてよい。例えば、剰余が１である場合、ＢＷＰ１がＰＵＣＣＨ情報伝送のために用いられる伝送周波数領域リソースとして決定され、剰余が０である場合、ＢＷＰ２がＰＵＣＣＨ情報伝送のために用いられる伝送周波数領域リソースとして決定される。剰余と、ＰＵＣＣＨ情報伝送のために用いられる伝送周波数領域リソースとの間の特定の対応関係は、本願の本実施形態に限定されるものではない。
【００９１】
モジュロ演算を実行して、剰余に基づいて決定するという上述の方式は、単なる例に過ぎず、本願の本実施形態に限定されるものではないことに留意されたい。実際の用途では、ＰＵＣＣＨ情報伝送のために用いられる伝送周波数領域リソースを決定するために、ＵＥ  ＩＤに基づいた別の方式が用いられてよい。
【００９２】
別の実施例において、端末デバイスは、端末デバイスの識別子に基づいて、少なくとも２つの候補伝送周波数領域リソースから１つの候補伝送周波数領域リソースを自律的に及びランダムに選択し、選択された候補伝送周波数領域リソースを、ＰＵＣＣＨ情報伝送のために用いられる伝送領域リソースとして決定してよい。
【００９３】
複数の候補伝送周波数領域リソースがある場合、ネットワークデバイスは、候補伝送周波数領域リソースに含まれるすべてのＢＷＰ上でＰＵＣＣＨ情報を受信する必要がある。上述の端末デバイスが、候補伝送周波数領域リソースから１つの候補伝送周波数領域リソースを選択し、選択された候補伝送周波数領域リソースを、ＰＵＣＣＨ情報伝送のために用いられる伝送領域リソースとして決定する方式では、ネットワークデバイスがブラインド検出を実行する必要があり、場合によっては余計な遅延が生じる。
【００９４】
これを考慮すると、可能な実施例において、端末デバイスは、アイドル状態にあるすべての候補伝送周波数領域リソースを、ＰＵＣＣＨ情報伝送のために用いられる伝送周波数領域リソースとして決定する。つまり、ＵＥ１がＢＷＰ１及びＢＷＰ２の両方に対してＬＢＴを行わない場合、ＢＷＰ１及びＢＷＰ２の両方が、ＰＵＣＣＨ情報伝送のために用いられる伝送周波数領域リソースとして決定される。ＵＥ１は、ＢＷＰ１及びＢＷＰ２上でＰＵＣＣＨ情報を繰り返し送信する、すなわち、ＰＵＣＣＨ情報は、ＢＷＰ１上で送信され、かつ、ＢＷＰ２上でも送信される。
【００９５】
ＰＵＣＣＨ情報が複数のＢＷＰ上で繰り返し送信される場合、ネットワークデバイスは、ブラインド検出を実行する必要はなく、候補伝送周波数領域リソースセットに含まれるすべてのＢＷＰ上のＰＵＣＣＨ情報を直接組み合わせて受信してよく、その結果、ネットワークデバイスの受信効率が改善される。別の実施例において、ネットワークデバイスは、ブラインド検出方式でＰＵＣＣＨ情報をさらに受信してよい。
【００９６】
上述の可能な実施例におけるどれが実際の用途において実施されるかは、端末デバイスに対してネットワークデバイスにより構成され得る、プロトコルにより規定され得る、又は、端末デバイスにより自律的に設定され得る。どれが具体的に実施されるかは、本願の本実施形態において限定されるものではない。
【００９７】
段階Ｓ４０３：決定された伝送周波数領域リソースを用いることにより、ＰＵＣＣＨ情報を伝送する。
【００９８】
具体的には、端末デバイスは、決定された伝送周波数領域リソースを用いることにより、ＰＵＣＣＨ情報を伝送し、例えば、決定された伝送周波数領域リソースを用いることにより、ネットワークデバイスにＰＵＣＣＨ情報を伝送する。
【００９９】
１つの伝送周波数領域リソースが決定された場合、ＰＵＣＣＨ情報は、伝送周波数領域リソースを用いることにより伝送され、２又はそれより多い伝送周波数領域リソースが決定された場合、ＰＵＣＣＨ情報は、２又はそれより多い伝送周波数領域リソースを用いることにより伝送される。
【０１００】
図４に示される実施形態では、１又は複数の候補伝送周波数領域リソースを決定した後に、端末デバイスは、１又は複数の候補伝送周波数領域リソースに対してアイドル状態感知を実行し、感知結果に基づいて、ＰＵＣＣＨ情報伝送のために用いられる伝送周波数領域リソースを決定し、最後に、決定された伝送周波数領域リソースを用いることにより、ＰＵＣＣＨ情報を伝送することで、アンライセンス周波数スペクトルを用いることによりアップリンク伝送を実施でき、伝送効率を改善できる。
【０１０１】
図７は、本願の実施形態に係る別の伝送方法の概略フローチャートである。ネットワークデバイスは、ＰＵＣＣＨリソース構成情報を用いることにより、１又は複数の候補伝送周波数領域リソースを直接的に示す。端末デバイスとネットワークデバイスとの間のやりとりの観点から、方法が説明される。方法は、限定されるものではないが、以下の段階を含んでよい。
【０１０２】
段階Ｓ５０１：ネットワークデバイスは、端末デバイスに対するＰＵＣＣＨリソース構成情報を決定する。
【０１０３】
ネットワークデバイスは、端末デバイスに対するＰＵＣＣＨリソース構成情報を構成する。ＰＵＣＣＨリソース構成情報は、１又は複数の候補伝送周波数領域リソースを示すために用いられる１又は複数の候補伝送周波数領域リソースの情報を含む。インジケーション情報は、１又は複数の候補伝送周波数領域リソースを直接的に示してよく、例えば、１又は複数のＢＷＰの１つの識別子又は複数の識別子を示し、又は、別の例として、ＢＷＰセットの識別子を示し、端末デバイスは、当該セットの識別子と、含まれるＢＷＰとの間の対応関係に基づいて、１又は複数の候補伝送周波数領域リソースを決定してよい。インジケーション情報は、１又は複数の候補伝送周波数領域リソースを間接的に示してもよい。
【０１０４】
異なる実施例において、ネットワークデバイスは、異なる端末デバイスに対して異なる数のアクティブなアップリンクＢＷＰを構成してよい。ネットワークデバイスは、ＵＥ１に対して３つのアクティブな２０ＭＨｚアップリンクＢＷＰを構成し、ＵＥ２に対して２つのアクティブな２０ＭＨｚアップリンクＢＷＰを構成し、ＵＥ３に対して４つのアクティブな２０ＭＨｚアップリンクＢＷＰを構成する。これは、本願の本実施形態において限定されるものではない。各端末デバイスに対してネットワークデバイスにより構成されるアクティブなアップリンクＢＷＰセットは、同じアップリンクＢＷＰを含んでよい。
【０１０５】
ＰＵＣＣＨリソース構成情報は、１又は複数の候補伝送周波数領域リソースの情報を示すために用いられるだけでなく、さらに、時間領域情報、具体的には、ＰＵＣＣＨが配置されるサブフレーム又はスロットの位置、及び、サブフレーム又はスロット内のシンボルの位置を含んでよく、さらに、候補伝送周波数領域リソースの、インタレースインデックスなどの位置情報（アップリンクＢＷＰにおける周波数領域リソースの位置）を含んでよく、さらに、直交拡張符号を含んでよい。これは、本願の本実施形態において限定されるものではない。
【０１０６】
候補伝送周波数領域リソースの位置情報は、候補伝送周波数領域リソースがどのサブバンド又はどのＣＣであるかを示すために用いられてよい。例えば、ＢＷＰの基本単位が２０Ｍであると仮定すると、候補伝送周波数領域リソースの位置情報は、ＢＷＰがシングル広域キャリア内のどのサブバンド又はＣＡ内のどのＣＣであるかを示すために用いられ得る。別の実施例において、候補伝送周波数領域リソースの位置情報は、代わりに、ＢＷＰ内のどの周波数リソースが占有された状態にあるかを示す、例えば、２０ＭのＢＷＰ内のどの周波数領域リソースが占有された状態にあるかを示すために用いられてよい。
【０１０７】
段階Ｓ５０２：ネットワークデバイスが、ＰＵＣＣＨリソース構成情報を端末デバイスに送信する。
【０１０８】
ネットワークデバイスは、無線リソース制御（ｒａｄｉｏ  ｒｅｓｏｕｒｃｅ  ｃｏｎｔｒｏｌ、ＲＲＣ）シグナリングを用いることにより、端末デバイスに上述したＰＵＣＣＨリソース構成情報を送信してよい、又は、ダウンリンク制御情報を用いることにより、上述したＰＵＣＣＨリソース構成情報を端末デバイスに送信してよい、すなわち、ダウンリンク制御情報を用いることにより、上述したＰＵＣＣＨリソース構成情報を動的に示してよい、又は、別の方式でＰＵＣＣＨリソース構成情報を端末デバイスに送信してよい。
【０１０９】
段階Ｓ５０３：端末デバイスが、ＰＵＣＣＨリソース構成情報に基づいて、ＰＵＣＣＨ情報伝送のために用いられる１又は複数の候補伝送周波数領域リソースを決定する。
【０１１０】
可能な実施例において、端末デバイスは、アップリンクＢＷＰセットのシーケンス番号に基づく表検索を通じてアップリンクＢＷＰセットに含まれるアップリンクＢＷＰを決定する。
【０１１１】
可能な実施例において、端末デバイスは、予め設定された公式に基づいて、ＰＵＣＣＨリソースのシーケンス番号からＢＷＰセットの対応するシーケンス番号を計算により取得し、表検索を通じてＢＷＰセットに含まれるアップリンクＢＷＰを決定してよい。
【０１１２】
段階Ｓ５０４：端末デバイスが、候補伝送周波数領域リソースに対してアイドル状態感知を実行する。
【０１１３】
段階Ｓ５０５：端末デバイスが、候補伝送周波数領域リソースの感知結果に基づいて、ＰＵＣＣＨ情報伝送のために用いられる伝送周波数領域リソースを決定する。
【０１１４】
段階Ｓ５０６：端末デバイスが、決定された伝送周波数領域リソースを用いることにより、ネットワークデバイスにＰＵＣＣＨ情報を伝送する。
【０１１５】
図７に示される実施形態の段階Ｓ５０４から段階Ｓ５０６の具体的な実施プロセスに関しては、図４に示される実施形態の段階Ｓ４０１から段階Ｓ４０３を参照されたい。ここでは改めて詳細が説明されることはない。
【０１１６】
図７に示される実施形態では、端末デバイスは、ＰＵＣＣＨリソース構成情報に基づいてＰＵＣＣＨ情報伝送のために用いられる１又は複数の候補伝送周波数領域リソースを決定し、その結果、アンライセンス周波数スペクトルを用いることによりアップリンク伝送を実施でき、伝送効率を改善できる。
【０１１７】
図８は、本願の実施形態に係るさらに別の伝送方法の概略フローチャートである。ネットワークデバイスは、ダウンリンク伝送リソースとアップリンクＢＷＰセットとの間の対応関係を用いることにより、１又は複数の候補伝送周波数領域リソースを直接的に示す。端末デバイスとネットワークデバイスとの間のやりとりの観点から方法が説明される。方法は、限定されるものではないが、以下の段階を含み得る。
【０１１８】
段階Ｓ６０１：ネットワークデバイスは、端末デバイスのために専用のダウンリンク伝送リソースを決定する。
【０１１９】
本実施例において、ネットワークデバイスは、端末デバイスのすべてのアップリンク伝送サブフレームに対してダウンリンク伝送帯域幅を割り当てる。例えば、図６では、ＵＥ１のサブフレーム１及びサブフレーム２に割り当てられるダウンリンク伝送帯域幅は、ＢＷＰ１及びＢＷＰ２を含む。
【０１２０】
別の実施例において、ネットワークデバイスは、ダウンリンク伝送リソースとアップリンクＢＷＰセットとの間の対応関係を構成してよい。具体的には、１つのダウンリンク伝送リソースは、１つのアップリンクＢＷＰセットに対応する。ダウンリンク伝送リソースとアップリンクＢＷＰセットとの間の対応関係は、プロトコルにより設定されてもよい。
【０１２１】
段階Ｓ６０２：端末デバイスが、ダウンリンク伝送リソースを取得する。
【０１２２】
本実施例において、端末デバイスは、ネットワークデバイスにより送信されたダウンリンク伝送リソース構成情報に基づいて、ダウンリンク伝送リソースを取得してよい。例えば、端末デバイスは、ネットワークデバイスからダウンリンク伝送リソースを受信してよい。
【０１２３】
別の実施例において、端末デバイスは、ネットワークデバイスから、又は、プロトコルに基づいて、ダウンリンク伝送リソースとアップリンクＢＷＰセットとの間の対応関係を取得する。
【０１２４】
段階Ｓ６０３：端末デバイスが、ダウンリンク伝送リソースに基づいて、ＰＵＣＣＨ情報伝送のために用いられる１又は複数の候補伝送周波数領域リソースを決定する。
【０１２５】
端末デバイスは、取得したダウンリンク伝送リソース、及び、ダウンリンク伝送リソースとアップリンクＢＷＰセットとの間の対応関係に基づいて、ＰＵＣＣＨ情報伝送のために用いられる１又は複数の候補伝送周波数領域リソースを決定する。
【０１２６】
段階Ｓ６０４：端末デバイスが、候補伝送周波数領域リソースに対してアイドル状態感知を実行する。
【０１２７】
段階Ｓ６０５：端末デバイスが、候補伝送周波数領域リソースの感知結果に基づいて、ＰＵＣＣＨ情報伝送のために用いられる伝送周波数領域リソースを決定する。
【０１２８】
段階Ｓ６０６：端末デバイスが、決定された伝送周波数領域リソースを用いることにより、ネットワークデバイスにＰＵＣＣＨ情報を伝送する。
【０１２９】
図８に示される実施形態における段階Ｓ６０４から段階Ｓ６０６の具体的な実施プロセスについては、図４に示される実施形態の段階Ｓ４０１から段階Ｓ４０３を参照されたい。ここでは改めて詳細が説明されることはない。
【０１３０】
図８に示される実施形態では、端末デバイスは、ダウンリンク伝送リソース、及び、ダウンリンク伝送リソースとアップリンクＢＷＰセットとの間のボンディング関係に基づいて、ＰＵＣＣＨ情報伝送のために用いられる１又は複数の候補伝送周波数領域リソースを決定しており、アンライセンス周波数スペクトルを用いることによりアップリンク伝送を実施でき、伝送効率を改善できる。
【０１３１】
図７に対応する実施形態及び図８に対応する実施形態では、直接的なインジケーションの方式及び間接的なインジケーションの方式で、例示的な説明がそれぞれ提供されることに留意されたい。ネットワークデバイスが、直接的なインジケーションの方式を用いるか、又は、間接的なインジケーションの方式を用いるかは、本願の実施形態のいずれにおいても制限されることはない。
【０１３２】
上述の方法に従って、図９は、本願の実施形態に係るデバイスの簡略化された概略図１である。図９に示されるように、デバイスは、端末デバイス１０であってよい、又は、チップ又は回路、例えば、端末デバイスに配置され得るチップ又は回路であってよい。端末デバイス１０は、上述した方法における端末デバイスに対応し得る。
【０１３３】
デバイスは、プロセッサ１１０及びメモリ１２０を含んでよい。メモリ１２０は、命令を格納するように構成される。プロセッサ１１０は、メモリ１２０に格納された命令を実行して、図４に対応する方法の段階Ｓ４０１及び段階Ｓ４０２、図７に対応する方法の段階Ｓ５０３及び段階Ｓ５０４、及び、図８に対応する方法の段階Ｓ６０２から段階Ｓ６０４を実施するように構成される。
【０１３４】
さらに、デバイスは、受信機１４０及び送信機１５０をさらに含んでよい。さらに、デバイスは、バスシステム１３０をさらに含んでよい。プロセッサ１１０、メモリ１２０、受信機１４０及び送信機１５０は、バスシステム１３０を通じて接続されてよい。
【０１３５】
プロセッサ１１０は、メモリ１２０に格納された命令を実行して、信号を受信するように受信機１４０を制御し、信号を送信するように送信機１５０を制御して、上述した方法における端末デバイスの段階を遂行するように構成される。受信機１４０及び送信機１５０は、同じ物理エンティティ又は異なる物理エンティティであってよい。同じ物理エンティティの場合、受信機１４０及び送信機１５０は、まとめて送受信機と称され得る。メモリ２２０は、プロセッサ２１０に統合されてよい、又は、プロセッサ２１０とは別個に配置されてよい。
【０１３６】
実施例において、送受信回路又は専用の送受信機チップを用いることにより、受信機１４０及び送信機１５０の機能を実装するものとみなされてよい。専用の処理チップ、処理回路、プロセッサ又は汎用チップを用いることにより、プロセッサ１１０を実装するものとみなされてよい。
【０１３７】
別の実施例において、汎用コンピュータを用いる方式で、本願の本実施形態において提供される端末デバイスを実装するものとみなされてよい。すなわち、プロセッサ１１０、受信機１４０及び送信機１５０の機能を実装するためのプログラムコードがメモリに格納され、汎用プロセッサは、メモリに格納されたコードを実行することにより、プロセッサ１１０、受信機１４０及び送信機１５０の機能を実装する。
【０１３８】
デバイスに関連し、かつ、本願の実施形態において提供される技術的解決手段に関連する概念の説明及び詳細な記述については、他の実施形態の内容に関する上述の方法及び説明を参照されたい。ここでは改めて詳細が説明されることはない。
【０１３９】
図１０は、本願の実施形態に係る端末デバイスの簡略化された概略的な構造図である。端末デバイスは、図１に示されるシステムに適用されてよい。説明しやすくするために、図１０は、端末デバイスの主要なコンポーネントのみを示す。図１０に示されるように、端末デバイス１０は、プロセッサ、メモリ、制御回路、アンテナ及び入力／出力装置を含む。プロセッサは、主に、通信プロトコル及び通信データを処理し、端末デバイス全体を制御し、ソフトウェアプログラムを実行し、ソフトウェアプログラムのデータを処理するように構成され、例えば、プリコーディング行列のインジケーションを伝送するための方法についての上述した実施形態において説明した動作を実行する端末デバイスをサポートするように構成される。メモリは、主に、ソフトウェアプログラム及びデータを格納するように構成される。制御回路は、主に、ベースバンド信号及び無線周波数信号を変換し、無線周波数信号を処理するように構成される。制御回路は、アンテナとあわせて、送受信機とも称され得、主に、電磁波の形式で、無線周波数信号を受信及び送信するように構成される。入力／出力装置、例えば、タッチスクリーン、ディスプレイ又はキーボードは、主に、ユーザによって入力されたデータを受信し、データをユーザに出力するように構成される。
【０１４０】
端末デバイスが起動した後に、プロセッサは、ストレージユニットに格納されたソフトウェアプログラムを読み取り、ソフトウェアプログラムの命令を説明及び実行し、ソフトウェアプログラムのデータを処理してよい。データが、無線で送信される必要がある場合、送信対象のデータに対するベースバンド処理を実行した後に、プロセッサは、ベースバンド信号を無線周波数回路に出力する。ベースバンド信号に対する無線周波数処理を実行した後に、無線周波数回路は、アンテナを用いることにより、電磁波の形式で、無線周波数信号を送信する。データが端末デバイスに送信された場合、無線周波数回路は、アンテナを用いることにより、無線周波数信号を受信し、無線周波数信号をベースバンド信号に変換し、ベースバンド信号をプロセッサに出力する。プロセッサは、ベースバンド信号をデータに変換し、当該データを処理する。
【０１４１】
当業者であれば、説明しやすくするために、図１０が１つのメモリ及び１つのプロセッサのみを示すことを理解し得る。実際の端末デバイスには、複数のプロセッサ及び複数のメモリがあってもよい。メモリは、記憶媒体又はストレージデバイスなどとも称され得る。これは、本願の本実施形態において限定されるものではない。
【０１４２】
オプションの実施例において、プロセッサは、ベースバンドプロセッサ及び中央処理装置を含んでよい。ベースバンドプロセッサは、主に、通信プロトコル及び通信データを処理するように構成される。中央処理装置は、主に、端末デバイス全体を制御し、ソフトウェアプログラムを実行し、ソフトウェアプログラムのデータを処理するように構成される。図１０のプロセッサは、ベースバンドプロセッサ及び中央処理装置の機能を統合する。当業者であれば、ベースバンドプロセッサ及び中央処理装置が、それぞれ独立したプロセッサであってよく、バスなどの技術を用いることにより相互接続されることを理解し得る。当業者であれば、端末デバイスが、異なるネットワーク規格に適応させるために、複数のベースバンドプロセッサを含んでよいことを理解し得る。端末デバイスは、端末デバイスの処理機能を促進するために、複数の中央処理装置を含んでよい。端末デバイスのコンポーネントは、様々なバスを通じて互いに接続されてよい。ベースバンドプロセッサは、ベースバンド処理回路又はベースバンド処理チップとして示されてもよい。中央処理装置は、中央処理回路又は中央処理チップとして示されてもよい。通信プロトコル及び通信データを処理する機能は、プロセッサに組み込まれてよい、又は、ソフトウェアプログラムの形式でストレージユニットに格納されてよい。プロセッサは、ソフトウェアプログラムを実行して、ベースバンド処理機能を実行する。
【０１４３】
例として、本願の本実施形態では、受信及び送信機能を有するアンテナ及び制御回路は、端末デバイス１０の送受信機ユニット１０１とみなされてよい。処理機能を有するプロセッサは、端末デバイス１０の処理ユニット１０２とみなされてよい。図１０に示されるように、端末１０は、送受信機ユニット１０１及び処理ユニット１０２を含む。送受信機ユニットは、送受信機、送受信機デバイス及び送受信機装置などとも称され得る。オプションで、送受信機ユニット１０１における受信機能を実装するように構成されるコンポーネントは、受信ユニットとみなされてよく、送受信機ユニット１０１における送信機能を実装するように構成されるコンポーネントは、送信ユニットとみなされてよい。すなわち、送受信機ユニット１０１は、受信ユニット及び送信ユニットを含む。例えば、受信ユニットは、受信デバイス、受信機又は受信回路などとも称され得る。送信ユニットは、伝送デバイス、送信機又は伝送回路などと称され得る。
【０１４４】
上述の方法に従って、図１１は、本願の実施形態に係るデバイスの簡略化された概略図２である。図１１に示されるように、デバイスは、ネットワークデバイス２０であってよい、又は、チップ又は回路、例えば、ネットワークデバイスに配置され得るチップ又は回路であってよい。ネットワークデバイス２０は、上述した方法におけるネットワークデバイスに対応する。デバイスは、プロセッサ２１０及びメモリ２２０を含んでよい。メモリ２２０は、命令を格納するように構成される。プロセッサ２１０は、メモリ２２０に格納された命令を実行して、図７に対応する方法の段階Ｓ５０１及び図８に対応する方法の段階Ｓ６０１を実施するように構成される。
【０１４５】
さらに、ネットワークは、受信機２４０及び送信機２５０をさらに含んでよい。さらに、ネットワークは、バスシステム２３０をさらに含んでよい。
【０１４６】
プロセッサ２１０、メモリ２２０、受信機２４０及び送信機２５０は、バスシステム２３０を通じて接続される。プロセッサ２１０は、メモリ２２０に格納された命令を実行して、信号を受信するように受信機２４０を制御し、信号を送信するように送信機２５０を制御して、上述した方法におけるネットワークデバイスの段階を遂行するように構成される。受信機２４０及び送信機２５０は、同じ物理エンティティ又は異なる物理エンティティであってよい。同じ物理エンティティの場合、受信機１４０及び送信機１５０は、まとめて送受信機と称され得る。メモリ２２０は、プロセッサ２１０に統合されてよい、又は、プロセッサ２１０とは別個に配置されてよい。
【０１４７】
実施例において、送受信回路又は専用の送受信機チップを用いることにより、受信機２４０及び送信機２５０の機能を実装するものとみなされてよい。専用の処理チップ、処理回路、プロセッサ又は汎用チップを用いることにより、プロセッサ２１０を実装するものとみなされてよい。
【０１４８】
別の実施例において、汎用コンピュータを用いる方式で、本願の本実施形態において提供されるネットワークデバイスを実装するものとみなされてよい。すなわち、プロセッサ２１０、受信機２４０及び送信機２５０の機能を実装するためのプログラムコードがメモリに格納され、汎用プロセッサは、メモリに格納されたコードを実行することにより、プロセッサ２１０、受信機２４０及び送信機２５０の機能を実装する。
【０１４９】
デバイスに関連し、本願の実施形態において提供される技術的解決手段に関連する概念の説明及び詳細な記述については、他の実施形態の内容に関する上述の方法及び説明を参照されたい。ここでは改めて詳細が説明されることはない。
【０１５０】
上述の方法に従って、図１２は、本願の実施形態に係るネットワークデバイスの簡略化された概略的な構造図であり、例えば、基地局の概略的な構造図であってよい。図１２に示されるように、基地局は、図１に示されるシステムに適用されてよい。基地局２０は、１又は複数の無線周波数ユニット、例えば、リモート無線ユニット（ｒｅｍｏｔｅ  ｒａｄｉｏ  ｕｎｉｔ、ＲＲＵ）２０１及び１又は複数のベースバンドユニット（ｂａｓｅｂａｎｄ  ｕｎｉｔ、ＢＢＵ）（デジタルユニット、ｄｉｇｉｔａｌ  ｕｎｉｔ、ＤＵとも称される）２０２を含む。ＲＲＵ２０１は、送受信機ユニット、送受信機デバイス、送受信回路又は送受信機などと称されてよく、少なくとも１つのアンテナ２０１１及び無線周波数ユニット２０１２を含んでよい。ＲＲＵ２０１は、主に、無線周波数信号を受信及び送信し、無線周波数信号及びベースバンド信号を変換するように構成され、例えば、端末デバイスに対して、上述した実施形態において説明したシグナリングメッセージを送信するように構成される。ＢＢＵ２０２は、主に、ベースバンド処理の実行、及び基地局の制御などをするように構成される。ＲＲＵ２０１及びＢＢＵ２０２は、物理的に一緒に配置されてよい、又は、物理的に別個に配置されてよい、すなわち、分散型基地局であってよい。
【０１５１】
ＢＢＵ２０２は、基地局の制御センタであり、処理ユニットとも称され、主に、ベースバンド処理機能、例えば、チャネル符号化、多重化、変調及びスペクトル拡散を実施するように構成される。例えば、ＢＢＵ（処理ユニット）は、方法についての上述した実施形態におけるネットワークデバイスに関連する動作手順を実行するように基地局を制御するように構成されてよい。
【０１５２】
例において、ＢＢＵ２０２は、１又は複数の回路基板を含んでよい。複数の回路基板は、単一のアクセス規格の無線アクセスネットワーク（例えば、ＬＴＥネットワーク）をまとめてサポートしてよい、又は、異なるアクセス規格の無線アクセスネットワークをそれぞれサポートしてよい。ＢＢＵ２０２は、メモリ２０２１及びプロセッサ２０２２をさらに含む。メモリ２０２１は、必要な命令及び必要なデータを格納するように構成される。例えば、メモリ２０２１は、上述した実施形態における予め設定された情報及びコードブックなどを格納する。プロセッサ２０２２は、必要な動作を実行するようい基地局を制御するように構成され、例えば、方法についての上述した実施形態におけるネットワークデバイスに関連する動作手順を実行するように基地局を制御するように構成される。メモリ２０２１及びプロセッサ２０２２は、１又は複数の回路基板を扱ってよい。すなわち、メモリ及びプロセッサは、各回路基板上に独立して配置されてよい。代わりに、複数の回路基板は、同じメモリ及び同じプロセッサを共有してよい。さらに、必要な回路が各回路基板上に配置されてよい。
【０１５３】
本願の実施形態によれば、本願の実施形態は、通信システムをさらに提供し、通信システムは、上述のネットワークデバイス及び１又は複数の端末デバイスを含む。
【０１５４】
本願の実施形態において、プロセッサは、中央処理装置（Ｃｅｎｔｒａｌ  Ｐｒｏｃｅｓｓｉｎｇ  Ｕｎｉｔ、略して「ＣＰＵ」）であってよい、又は、プロセッサは、別の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は別のブログラム可能な論理デバイス、ディスクリートゲート又はトランジスタ論理デバイス、又は、ディスクリートハードウェアコンポーネントなどであってよいことを理解されたい。汎用プロセッサは、マイクロプロセッサであってよい、又は、プロセッサは、任意の従来のプロセッサなどであってよい。
【０１５５】
メモリは、リードオンリメモリ及びランダムアクセスメモリを含み、命令及びデータをプロセッサに提供してよい。メモリの一部は、さらに、不揮発性ランダムアクセスメモリを含んでよい。
【０１５６】
バスシステムは、さらに、データバスに加えて、パワーバス、制御バス及びステータス信号バスなどを含んでよい。しかしながら、明瞭な説明のために、図において、様々なタイプのバスがバスシステムと表記される。
【０１５７】
実施プロセスにおいて、上述した方法の段階は、プロセッサ内のハードウェア集積論理回路を用いることにより、又は、ソフトウェアの形式の命令を用いることにより実施されることができる。本願の実施形態に関連して開示される方法の段階は、ハードウェアプロセッサにより直接的に実行されてよい、又は、プロセッサ内のハードウェアとソフトウェアモジュールとの組み合わせを用いることにより実行されてよい。ソフトウェアモジュールは、当該技術分野における成熟した記憶媒体、例えば、ランダムアクセスメモリ、フラッシュメモリ、リードオンリメモリ、プログラマブルリードオンリメモリ、電気的に消去可能なブログラマブルメモリ又はレジスタなどに配置されてよい。記憶媒体はメモリに配置され、プロセッサは、メモリ内の情報を読み取り、プロセッサのハードウェアと組み合わせて、上述した方法における段階を遂行する。繰り返しを避けるために、ここでは改めて詳細が説明されることはない。
【０１５８】
本明細書に含まれる第１、第２、第３、第４及び様々な数は、便宜的な説明のために区別されたものに過ぎず、本願の実施形態の範囲を限定することを意図するものではないことをさらに理解されたい。
【０１５９】
本明細書におけて、用語「及び／又は」は、関連するオブジェクトを説明するための対応関係のみを説明し、３つの関係が存在し得ることを表すことに理解されたい。例えば、Ａ及び／又はＢは、Ａのみが存在する、Ａ及びＢの両方が存在する、及び、Ｂのみが存在するという３つの場合を表し得る。さらに、本明細書において、記号「／」は、概して、関連するオブジェクト間の「又は」の関係を示す。
【０１６０】
上述した処理のシーケンス番号が、本願の様々な実施形態における実行順序を意味するものでないことを理解されたい。処理の実行順序は、処理の機能及び内部ロジックに従って決定されるべきであり、本願の実施形態の実施プロセスに対する何らかの制限と解釈されるべきではない。
【０１６１】
当業者であれば、本明細書で開示された実施形態で説明した例示的な論理ブロック（ｉｌｌｕｓｔｒａｔｉｖｅ  ｌｏｇｉｃａｌ  ｂｌｏｃｋ）と、段階（ｓｔｅｐ）とを組み合わせて、電子ハードウェア、又は、コンピュータソフトウェアと電子ハードウェアとの組み合わせにより実施されてよいことが分かり得る。機能がハードウェア又はソフトウェアにより実行されるかは、技術的解決手段の特定の用途及び設計制約条件によって決まる。当業者であれば、特定の用途ごと説明した機能を実施するために異なる方法を用いてよいが、それは、実施例が本願の範囲を超えるものとみなされるべきではない。
【０１６２】
簡便かつ簡潔な説明を目的として、上述のシステム、装置及びユニットの詳細な動作プロセスについては、上述した方法の実施形態における対応する処理を参照し、ここでは改めて詳細が説明されることはないことが当業者により明確に理解され得る。
【０１６３】
本願において提供されるいくつかの実施形態では、開示されるシステム、装置及び方法が、他の方式で実装されてよいことを理解されたい。例えば、説明した装置の実施形態は、単なる例に過ぎない。例えば、ユニット区分は、論理的な機能区分に過ぎず、実際の実装において他の区分であってよい。例えば、複数のユニット又はコンポーネントは、別のシステムに組み合わせられてよく、又は、統合されてよく、又は、いくつかの機能は、無視されてよい、又は、実行されなくてよい。さらに、表示又は述べられた相互連結又は直接連結又は通信接続は、いくつかのインタフェースを用いることにより実装されてよい。間接的な連結、又は、装置間若しくはユニット間の通信接続は、電気的、機械的又は他の形態で実装されてよい。
【０１６４】
別個の部分として説明されたユニットは、物理的に別個であってもなくてもそうでなくてもよく、ユニットとして表示された部分は、物理ユニットであってもそうでなくてもよく、一カ所に配置されてよく、又は、複数のネットワークユニットに分散されてもよい。ユニットの一部又はすべては、実施形態の解決手段の目的を達成するために、実際の要件に基づいて選択されてよい。
【０１６５】
さらに、本願の実施形態における機能ユニットは、１つの処理ユニットに統合されてよい、又は、ユニットのそれぞれが、物理的に単独で存在してよい、又は、２又はそれより多いユニットが１つのユニットに統合される。
【０１６６】
上述した実施形態のすべて又は一部は、ソフトウェア、ハードウェア、ファームウェア又はこれらの任意の組み合わせを用いることにより実装されてよい。実施形態を実施するためにソフトウェアが用いられる場合、当該実施形態は、コンピュータプログラム製品の形式で、完全に又は部分的に実装されてよい。コンピュータプログラム製品は、１又は複数のコンピュータ命令を含む。コンピュータプログラム命令がコンピュータ上でロードされて実行される場合、本願の実施形態に係る手順又は機能は、すべて又は部分的に引き起こされる。コンピュータは、汎用コンピュータ、専用コンピュータ、コンピュータネットワーク、又は、他のプログラム可能な装置であってよい。コンピュータ命令は、コンピュータ可読記憶媒体に格納されてよい、又は、コンピュータ可読記憶媒体から別のコンピュータ可読記憶媒体に伝送されてよい。例えば、コンピュータ命令は、ウェブサイト、コンピュータ、サーバ又はデータセンタから別のウェブサイト、コンピュータ、サーバ又はデータセンタへ、有線（例えば、同軸ケーブル、光ファイバ又はデジタル加入者線（ＤＳＬ））又は無線（例えば、赤外線、電波又はマイクロ波など）方式で伝送されてよい。コンピュータ可読記憶媒体は、コンピュータによりアクセス可能な任意の使用可能な媒体、又は、１又は複数の使用可能な媒体を統合するデータストレージデバイス、例えば、サーバ又はデータセンタであってよい。使用可能な媒体は、磁気媒体（例えば、フロッピーディスク、ハードディスク又は磁気テープ）、光媒体（例えば、デジタルビデオディスク（ｄｉｇｉｔａｌ  ｖｉｄｅｏ  ｄｉｓｋ、ＤＶＤ））、又は、半導体媒体（例えば、ソリッドステートドライブ（Ｓｏｌｉｄ  Ｓｔａｔｅ  Ｄｉｓｋ、ＳＳＤ））などであってよい。
【０１６７】
上述の説明は、本願の特定の実施例に過ぎず、本願の保護範囲を限定することを意図するものではない。本願において開示される技術的範囲内で当業者が考え付きやすい任意の変形又は置換は、本願の保護範囲内に含まれるものとする。したがって、本願の保護範囲は、特許請求の範囲の保護範囲にしたがうものとする。
【図１】
2020526996.tif 000005
【図２】
2020526996.tif 000006
【図３】
2020526996.tif 000007
【図４】
2020526996.tif 000008
【図５】
2020526996.tif 000009
【図６】
2020526996.tif 000010
【図７】
2020526996.tif 000011
【図８】
2020526996.tif 000012
【図９】
2020526996.tif 000013
【図１０】
2020526996.tif 000014
【図１１】
2020526996.tif 000015
【図１２】
2020526996.tif 000016
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
伝送方法であって、
端末デバイスにより、１又は複数の候補伝送周波数領域リソースに対してアイドル状態感知を実行する段階であって、前記１又は複数の候補伝送周波数領域リソースは、物理アップリンク制御チャネル上でのＰＵＣＣＨ情報伝送のために用いられる、段階と、
前記端末デバイスにより、前記１又は複数の候補伝送周波数領域リソースの感知結果に基づいて、ＰＵＣＣＨ情報伝送のために用いられる伝送周波数領域リソースを決定する段階と、
前記端末デバイスにより、前記決定された伝送周波数領域リソースを用いることにより、ＰＵＣＣＨ情報を伝送する段階と
を備える方法。
【請求項２】
前記方法は、
前記端末デバイスにより、前記１又は複数の候補伝送周波数領域リソースを決定する段階をさらに備える、請求項１に記載の方法。
【請求項３】
前記端末デバイスにより、前記１又は複数の候補伝送周波数領域リソースを決定する段階は、
前記端末デバイスにより、ＰＵＣＣＨリソース構成情報に基づいて、前記１又は複数の候補伝送周波数領域リソースを決定する段階であって、前記ＰＵＣＣＨリソース構成情報は、前記１又は複数の候補伝送周波数領域リソースを示すために用いられる、段階を有する、請求項２に記載の方法。
【請求項４】
前記端末デバイスにより、前記１又は複数の候補伝送周波数領域リソースを決定する段階は、
前記端末デバイスにより、ダウンリンク伝送リソースに基づいて、前記１又は複数の候補伝送周波数領域リソースを決定する段階を有する、請求項２に記載の方法。
【請求項５】
前記端末デバイスにより、前記１又は複数の候補伝送周波数領域リソースの感知結果に基づいて、ＰＵＣＣＨ情報伝送のために用いられる伝送周波数領域リソースを前記決定する段階は、
１つの候補伝送周波数領域リソースがアイドル状態にあることが感知された場合、前記端末デバイスにより、前記１つの候補伝送周波数領域リソースを、ＰＵＣＣＨ情報伝送のために用いられる伝送周波数領域リソースとして決定する段階を有する、請求項１から４のいずれか一項に記載の方法。
【請求項６】
前記端末デバイスにより、前記１又は複数の候補伝送周波数領域リソースの感知結果に基づいて、ＰＵＣＣＨ情報伝送のために用いられる伝送周波数領域リソースを前記決定する段階は、
少なくとも２つの候補伝送周波数領域リソースがアイドル状態にあることが感知された場合、前記端末デバイスにより、前記端末デバイスの識別子に基づいて、前記少なくとも２つの候補伝送周波数領域リソースから１つの候補伝送周波数領域リソースを選択して、前記選択された候補伝送周波数領域リソースを、ＰＵＣＣＨ情報伝送のために用いられる伝送領域リソースとして決定する段階を有する、請求項１から４のいずれか一項に記載の方法。
【請求項７】
前記端末デバイスにより、前記１又は複数の候補伝送周波数領域リソースの感知結果に基づいて、ＰＵＣＣＨ情報伝送のために用いられる伝送周波数領域リソースを前記決定する段階は、
前記端末デバイスにより、アイドル状態にあるすべての候補伝送周波数領域リソースを、ＰＵＣＣＨ情報伝送のために用いられる伝送周波数領域リソースとして決定する段階を有する、請求項１から４のいずれか一項に記載の方法。
【請求項８】
プロセッサと送受信機とを備え、
前記プロセッサは、１又は複数の候補伝送周波数領域リソースに対してアイドル状態感知を実行するように構成され、前記１又は複数の候補伝送周波数領域リソースは、ＰＵＣＣＨ情報伝送のために用いられ、
前記プロセッサは、前記１又は複数の候補伝送周波数領域リソースの感知結果に基づいて、ＰＵＣＣＨ情報伝送のために用いられる伝送周波数領域リソースを決定するようにさらに構成され、
前記送受信機は、前記決定された伝送周波数領域リソースを用いることにより、ＰＵＣＣＨ情報を伝送するように構成される、
端末デバイス。
【請求項９】
前記プロセッサは、前記１又は複数の候補伝送周波数領域リソースを決定するようにさらに構成される、請求項８に記載の端末デバイス。
【請求項１０】
前記１又は複数の候補伝送周波数領域リソースを決定するように構成される場合、前記プロセッサは、具体的には、ＰＵＣＣＨリソース構成情報に基づいて、前記１又は複数の候補伝送周波数領域リソースを決定するように構成され、前記ＰＵＣＣＨリソース構成情報は、前記１又は複数の候補伝送周波数領域リソースを示すために用いられる、請求項９に記載の端末デバイス。
【請求項１１】
前記１又は複数の候補伝送周波数領域リソースを決定するように構成される場合、前記プロセッサは、具体的には、ダウンリンク伝送リソースに基づいて、前記１又は複数の候補伝送周波数領域リソースを決定するように構成される、請求項９に記載の端末デバイス。
【請求項１２】
前記１又は複数の候補伝送周波数領域リソースの感知結果に基づいて、ＰＵＣＣＨ情報伝送のために用いられる伝送周波数領域リソースを決定するように構成される場合、前記プロセッサは、具体的には、１つの候補伝送周波数領域リソースがアイドル状態にあることが感知された場合、前記１つの候補伝送周波数領域リソースを、ＰＵＣＣＨ情報伝送のために用いられる伝送周波数領域リソースとして決定するように構成される、請求項８から１１のいずれか一項に記載の端末デバイス。
【請求項１３】
前記１又は複数の候補伝送周波数領域リソースの感知結果に基づいて、ＰＵＣＣＨ情報伝送のために用いられる伝送周波数領域リソースを決定するように構成される場合、前記プロセッサは、具体的には、少なくとも２つの候補伝送周波数領域リソースがアイドル状態にあることが感知された場合、前記端末デバイスの識別子に基づいて、前記少なくとも２つの候補伝送周波数領域リソースから１つの候補伝送周波数領域リソースを選択して、前記選択された候補伝送周波数領域リソースを、ＰＵＣＣＨ情報伝送のために用いられる伝送領域リソースとして決定するように構成される、請求項８から１１のいずれか一項に記載の端末デバイス。
【請求項１４】
前記１又は複数の候補伝送周波数領域リソースの感知結果に基づいて、ＰＵＣＣＨ情報伝送のために用いられる伝送周波数領域リソースを決定するように構成される場合、前記プロセッサは、具体的には、アイドル状態にあるすべての候補伝送周波数領域リソースを、ＰＵＣＣＨ情報伝送のために用いられる伝送周波数領域リソースとして決定するように構成される、請求項８から１１のいずれか一項に記載の端末デバイス。
【請求項１５】
メモリと１又は複数のプロセッサとを備え、前記メモリは、前記１又は複数のプロセッサに連結され、前記１又は複数のプロセッサは、請求項１から７のいずれか一項に記載の方法を実行するように構成される、端末デバイス。
【請求項１６】
１又は複数のプロセッサを備え、前記１又は複数のプロセッサは、メモリに連結されており、前記メモリ内の命令を読み取り、かつ、前記命令に基づいて請求項１から７のいずれか一項に記載の方法を実行する、端末デバイス。
【請求項１７】
命令を備え、前記命令がコンピュータ上で実行される場合、前記コンピュータに、請求項１から７のいずれか一項に記載の方法を実行させる、コンピュータ可読記憶媒体。
【請求項１８】
コンピュータに、請求項１から７のいずれか一項に記載の方法を実行させるためのプログラム。
【手続補正２】
【補正対象書類名】明細書
【補正対象項目名】００４２
【補正方法】変更
【補正の内容】
【００４２】
（２）無線アクセスネットワーク（ｒａｄｉｏ  ａｃｃｅｓｓ  ｎｅｔｗｏｒｋ、ＲＡＮ）は、ネットワーク内にあり、かつ、端末を無線ネットワークに接続する部分である。ＲＡＮノード（又は、デバイス）は、無線アクセスネットワーク内のノード（又は、デバイス）であり、基地局とも称され得る。現在のところ、ＲＡＮノードのいくつか例は、ｇＮＢ、送信受信ポイント（ｔｒａｎｓｍｉｓｓｉｏｎ  ｒｅｃｅｐｔｉｏｎ  ｐｏｉｎｔ、ＴＲＰ）、進化型ノードＢ（ｅｖｏｌｖｅｄ  ＮｏｄｅＢ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）、基地局コントローラ（ｂａｓｅ  ｓｔａｔｉｏｎ  ｃｏｎｔｒｏｌｌｅｒ、ＢＳＣ）、ベーストランシーバ基地局（ｂａｓｅ  ｔｒａｎｓｃｅｉｖｅｒ  ｓｔａｔｉｏｎ、ＢＴＳ）、ホームノードＢ（例えば、ｈｏｍｅ  ｅｖｏｌｖｅｄ  ＮｏｄｅＢ又はｈｏｍｅ  ＮｏｄｅＢ、ＨＮＢ）、ベースバンドユニット（ｂａｓｅ  ｂａｎｄ  ｕｎｉｔ、ＢＢＵ）、局（ｓｔａｔｉｏｎ、ＳＴＡ）、ワイヤレスフィデリティ（ｗｉｒｅｌｅｓｓ  ｆｉｄｅｌｉｔｙ、Ｗｉ‐Ｆｉ（登録商標））及びアクセスポイント（ａｃｃｅｓｓ  ｐｏｉｎｔ、ＡＰ）などを含む。さらに、ネットワーク構成において、ＲＡＮは、集中型ユニット（ｃｅｎｔｒａｌｉｚｅｄ  ｕｎｉｔ、ＣＵ）ノード及び分散型ユニット（ｄｉｓｔｒｉｂｕｔｅｄ  ｕｎｉｔ、ＤＵ）ノードを含んでよい。そのような構成において、ロングタームエボリューション（ｌｏｎｇ  ｔｅｒｍ  ｅｖｏｌｕｔｉｏｎ、ＬＴＥ）システムにおけるｅＮＢのプロトコル層は分割されており、当該プロトコル層のいくつかの機能はＣＵの集中型制御下にあり、プロトコル層の残りの機能又はすべての機能はＤＵに分散され、ＤＵはＣＵの集中型制御下にある。
【手続補正３】
【補正対象書類名】明細書
【補正対象項目名】００６２
【補正方法】変更
【補正の内容】
【００６２】
ＰＵＣＣＨ情報は、ネットワークデバイスにより送信されたハイブリッド自動再送要求（ｈｙｂｒｉｄ  ａｕｔｏｍａｔｉｃ  ｒｅｐｅａｔ  ｒｅｑｕｅｓｔ、ＨＡＲＱ）に応答するために用いられる、肯定応答（ａｃｋｎｏｗｌｅｄｇｅｍｅｎｔ、ＡＣＫ）、又は、否定応答（ｎｅｇａｔｉｖｅａｃｋｎｏｗｌｅｄｇｅｍｅｎｔ、ＮＡＣＫ）を保持する情報であってよい、又は、スケジューリング要求（ｓｃｈｅｄｕｌｉｎｇ  ｒｅｑｕｅｓｔ，ＳＲ）を保持する情報であってよい、又は、チャネル状態情報（ｃｈａｎｎｅｌ  ｓｔａｔｅ  ｉｎｆｏｒｍａｔｉｏｎ、ＣＳＩ）を保持する情報であってよい、又は、他のコンテンツを保持する情報であってよい。代わりに、ＰＵＣＣＨ情報は、ＡＣＫ／ＮＡＣＫ、ＳＲ、ＣＳＩ又は他のコンテンツのうちのいくつかのタイプを保持する情報であってよい。特定のＰＵＣＣＨ情報に保持されるコンテンツは、本願の本実施形態において限定されるものではない。便宜上、本願の実施形態における説明は、ＡＣＫ／ＮＡＣＫを保持するＰＵＣＣＨ情報を例として用いることにより提供される。
【手続補正４】
【補正対象書類名】明細書
【補正対象項目名】００６６
【補正方法】変更
【補正の内容】
【００６６】
実施例において、端末デバイスは、ＬＢＴの方式で各候補伝送周波数領域リソースに対してアイドル状態感知を実行する。候補伝送周波数領域リソースがＬＢＴを行わない場合、候補伝送周波数領域リソースがアイドル状態にあることが決定され得る。別の実施例において、端末デバイスは、別の方式で各候補伝送周波数領域リソースに対してアイドル状態感知を実行してよい。具体的に用いられる方式は、本願の本実施形態において限定されるものではない。ＬＢＴの特定の実施例は、本願の本実施形態において限定されるものではない。
【手続補正５】
【補正対象書類名】明細書
【補正対象項目名】００７６
【補正方法】変更
【補正の内容】
【００７６】
候補伝送周波数領域リソースの位置情報は、候補伝送周波数領域リソースがどのサブバンド又はどのＣＣであるかを示すために用いられ得る。例えば、ＢＷＰの基本単位が２０ＭＨｚであると仮定すると、候補伝送周波数領域リソースの位置情報は、ＢＷＰがシングル広域キャリア内のどのサブバンド又はＣＡ内のどのＣＣであるかを示すために用いられ得る。別の実施例において、候補伝送周波数領域リソースの位置情報は、代わりに、ＢＷＰ内のどの周波数リソースが占有された状態であるかを示す、例えば、２０ＭＨｚのＢＷＰ内のどの周波数領域リソース占有された状態であるかを示すために用いられてよい。
【手続補正６】
【補正対象書類名】明細書
【補正対象項目名】０１０６
【補正方法】変更
【補正の内容】
【０１０６】
候補伝送周波数領域リソースの位置情報は、候補伝送周波数領域リソースがどのサブバンド又はどのＣＣであるかを示すために用いられてよい。例えば、ＢＷＰの基本単位が２０ＭＨｚであると仮定すると、候補伝送周波数領域リソースの位置情報は、ＢＷＰがシングル広域キャリア内のどのサブバンド又はＣＡ内のどのＣＣであるかを示すために用いられ得る。別の実施例において、候補伝送周波数領域リソースの位置情報は、代わりに、ＢＷＰ内のどの周波数リソースが占有された状態にあるかを示す、例えば、２０ＭＨｚのＢＷＰ内のどの周波数領域リソースが占有された状態にあるかを示すために用いられてよい。
【手続補正７】
【補正対象書類名】明細書
【補正対象項目名】０１３９
【補正方法】変更
【補正の内容】
【０１３９】
図１０は、本願の実施形態に係る端末デバイスの簡略化された概略的な構造図である。端末デバイスは、図１に示されるシステムに適用されてよい。説明しやすくするために、図１０は、端末デバイスの主要なコンポーネントのみを示す。図１０に示されるように、端末デバイス１０は、プロセッサ、メモリ、制御回路、アンテナ及び入力／出力装置を含む。プロセッサは、主に、通信プロトコル及び通信データを処理し、端末デバイス全体を制御し、ソフトウェアプログラムを実行し、ソフトウェアプログラムのデータを処理するように構成され、例えば、上述した方法の実施形態において説明した動作を実行する端末デバイスをサポートするように構成される。メモリは、主に、ソフトウェアプログラム及びデータを格納するように構成される。制御回路は、主に、ベースバンド信号及び無線周波数信号を変換し、無線周波数信号を処理するように構成される。制御回路は、アンテナとあわせて、送受信機とも称され得、主に、電磁波の形式で、無線周波数信号を受信及び送信するように構成される。入力／出力装置、例えば、タッチスクリーン、ディスプレイ又はキーボードは、主に、ユーザによって入力されたデータを受信し、データをユーザに出力するように構成される。
【国際調査報告】
2020526996.tif 000017
2020526996.tif 000018
2020526996.tif 000019
2020526996.tif 000020